(57)【要約】【課題】特定の相手（恋人や家族など）の現在の状態をやわらかく知ることができなかった。または、やわらかく自分の状態を特定の相手に伝えることができなかった。【解決手段】情報処理システムは、情報処理端末と光出力装置を有し、情報処理端末は、当該情報処理端末を識別する情報である送信元識別子を予め格納しており、当該格納している送信元識別子を有する外部情報を送信する。光出力装置は、情報処理端末から送信される情報である外部情報を受信する外部情報受信部と、光を出力する光出力部と、外部情報に基づいて、光出力部における光の出力を３以上の出力状態のうちから１以上の出力状態にするように指示する制御である多段階制御を行う光出力制御部を具備する。【選択図】図１
2007004792.tif 000002
【特許請求の範囲】
【請求項１】
外部から送信される情報である外部情報を受信する外部情報受信部と、
光を出力する光出力部と、
前記外部情報に基づいて、前記光出力部における光の出力を３以上の出力状態のうちから１以上の出力状態にするように指示する制御である多段階制御を行う光出力制御部を
具備する光出力装置。
【請求項２】
２以上の外部情報を受信し、当該受信した２以上の外部情報に基づいて光制御するためのパラメータである外部情報を構成して、送信する中継装置から、前記外部情報受信部は前記構成した外部情報を受信する請求項１記載の光出力装置。
【請求項３】
前記光出力部は、光を出力する光出力手段を１以上具備し、
前記外部情報は情報の種類を示す情報である種類情報と当該種類情報に対応する値である情報値を有し、
前記光出力制御部は、前記外部情報受信部が受信した外部情報が有する種類情報と情報値に基づいて前記２以上の光出力手段における光の出力を制御する
請求項１または請求項２いずれか記載の光出力装置。
【請求項４】
外部情報の種類情報を格納している種類情報格納部をさらに具備し、
前記光出力制御部は、前記外部情報受信部が受信する外部情報が有する種類情報が前記種類情報格納部に格納されている種類情報と一定の関係がある場合のみ、前記光出力部に光の出力を指示する
請求項３記載の光出力装置。
【請求項５】
前記光出力制御部は、2以上の光出力方法を制御可能であり、
前記種類情報格納部は、前記光出力方法を識別する光出力方法識別子と種類情報とを対応付けて格納しており、
前記光出力制御部は、前記外部情報受信部が受信する外部情報が有する種類情報が前記種類情報格納部に格納されている種類情報と一定の関係がある場合のみ、当該種類情報に対応する光出力方法識別子で識別される光出力方法により光の出力をするように前記光出力部に指示する
請求項４記載の光出力装置。
【請求項６】
前記外部情報受信部が受信する外部情報を記録する外部情報記録部をさらに具備し、
前記光出力制御部は、前記外部情報記録部が記録した１以上の外部情報または／および前記外部情報受信部が受信する外部情報に基づいて前記光出力部における光の出力を制御する請求項１、または請求項３から請求項５いずれか記載の光出力装置。
【請求項７】
外部から外部情報を受信して、請求項１、または請求項３から請求項６いずれか記載の光出力装置に前記外部情報を送信する中継装置であって、
外部情報の送信元を識別する送信元識別子と前記外部情報を受信する外部情報受信部と、外部情報の送信先を識別する送信先識別子と送信元識別子との対である送信管理情報を１組以上格納している送信管理情報格納部と、
前記外部情報受信部が受信した送信元識別子と対になる送信先識別子を前記送信管理情報格納部から取得する送信先識別子取得部と、
前記送信先識別子取得部で取得した送信先識別子で識別される送信先に、前記外部情報受信部が受信した外部情報を送信する外部情報送信部を
具備する中継装置。
【請求項８】
外部から外部情報を受信して、請求項１、または請求項３から請求項６いずれか記載の光出力装置に前記外部情報を送信する中継装置であって、
外部情報の送信先を識別する送信先識別子と前記外部情報を受信する外部情報受信部と、前記外部情報受信部が受信した送信先識別子で識別される送信先に、前記外部情報受信部が受信した外部情報を送信する外部情報送信部を
具備する中継装置。
【請求項９】
請求項２記載の光出力装置に外部情報を送信する中継装置であって、
２以上の外部情報を受信する外部情報受信部と、
前記外部情報受信部が受信した２以上の外部情報を記録する外部情報記録部と、
前記外部情報記録部が記録した２以上の外部情報に基づいて、光制御するためのパラメータである新たな外部情報を構成する外部情報構成部と、
前記外部情報構成部が構成した外部情報を前記光出力装置に送信する外部情報送信部を
具備する中継装置。
【請求項１０】
請求項１記載の光出力装置と情報処理端末とを有する情報処理システムを構成する前記情報処理端末であって、
外部情報を取得する外部情報取得部と、
当該情報処理端末を識別する情報である送信元識別子を格納している送信元識別子格納部と、
前記格納している送信元識別子と前記取得した外部情報を送信する情報処理端末。
【発明の詳細な説明】
【技術分野】
【０００１】
本発明はある装置から他の装置に当該装置の使用者の状態等を光出力によりやわらかく伝える情報処理システムを構成する情報処理端末と光出力装置等に関するものである。
【背景技術】
【０００２】
従来、ある人から別の人へ情報を伝える装置として、携帯電話やインターネットに接続されたコンピュータ等が存在していた。
また、インターネットやブロードバンド技術等の普及により、常時接続で情報を送受信できるようになってきた。
【発明の開示】
【発明が解決しようとする課題】
【０００３】
しかし、従来の技術によれば、例えば、特定の相手（恋人や家族など）の現在の状態をやわらかく知ることができなかった。または、やわらかく自分の状態を特定の相手に伝えることができなかった。この「やわらかく知る」「やわらかく伝える」というのは、電話で現在の忙しい状態を知ったりすることではなく、また、インターネットを利用した電子メールで現在の仕事振りを特定の相手に伝えたりすることではない。この「やわらかく知る」「やわらかく伝える」というのは、具体的には、相手が何となく忙しそうだ、ということを知ったり、今相手の方に向かっていることを伝えたりすることを言う。
つまり、携帯電話や電子メールシステムを用いれば積極的に状態を伝えることができるが、状態の伝達を意識せざるを得ない。
【０００４】
本願発明は、どちらかと言うと積極的ではないがゆえに、自分の状態をやわらかく相手に伝達し得るシステムを得ることを目的としている。
【課題を解決するための手段】
【０００５】
以上の課題を解決するために、以下のような情報処理システムを提供する。
まず、情報処理システムは、情報処理端末と中継装置と光出力装置を有する。情報処理端末は、当該情報処理端末を識別する情報である送信元識別子を予め格納しており、当該格納している送信元識別子を有する外部情報を送信する。中継装置は、情報処理端末から外部情報の送信元を識別する送信元識別子と前記外部情報を受信する外部情報受信部と、外部情報の送信先を識別する送信先識別子と送信元識別子との対である送信管理情報を１組以上格納している送信管理情報格納部と、外部情報受信部が受信した送信元識別子と対になる送信先識別子を送信管理情報格納部から取得する送信先識別子取得部と、前記送信先識別子取得部で取得した送信先識別子で識別される送信先に、外部情報受信部が受信した外部情報を送信する外部情報送信部を具備する。光出力装置は、中継装置から送信される情報である外部情報を受信する外部情報受信部と、光を出力する光出力部と、外部情報に基づいて、光出力部における光の出力を３以上の出力状態のうちから１以上の出力状態にするように指示する制御である多段階制御を行う光出力制御部を具備する。
【０００６】
なお、情報処理システムにおいて中継装置が存在せず、情報処理端末と光出力装置で外部情報の送受信を行い、光出力装置が当該外部情報に基づいて光出力する構成でも良い。
【０００７】
また、情報処理システムは、以下のような構成でも良い。つまり、情報処理システムは、情報処理端末と中継装置と光出力装置を有する。情報処理端末は、上述した情報処理端末と同様の構成である。中継装置は、２以上の外部情報を受信する外部情報受信部と、外部情報受信部が受信した２以上の外部情報を記録する外部情報記録部と、外部情報記録部
が記録した２以上の外部情報に基づいて、光制御するためのパラメータである新たな外部情報を構成する外部情報構成部と、外部情報構成部が構成した外部情報を光出力装置に送信する外部情報送信部を具備する。光出力装置は、２以上の外部情報を受信し、当該受信した２以上の外部情報に基づいて光制御するためのパラメータである外部情報を構成して、送信する中継装置から、外部情報受信部は構成した外部情報を受信し、当該外部情報に基づいて光出力制御する。なお、本情報処理システムにおいても中継装置は必須ではなく、情報処理端末と光出力装置がピアツーピアで接続される構成でも良い。
【０００８】
また、情報処理システムは以下のような構成でも良い。つまり、情報処理システムは、情報処理端末と中継装置と光出力装置を有する。情報処理端末は、上述の情報処理端末の構成において、送信する外部情報が、種類情報と情報値であることを特徴とする。中継装置は上述した構成である。光出力装置における光出力部は、光を出力する光出力手段を１以上具備し、外部情報は情報の種類を示す情報である種類情報と当該種類情報に対応する値である情報値を有し、光出力制御部は、外部情報受信部が受信した外部情報が有する種類情報と情報値に基づいて前記２以上の光出力手段における光の出力を制御することを特徴とするものである。なお、本情報処理システムにおいても中継装置は必須ではなく、情報処理端末と光出力装置がピアツーピアで接続される構成でも良い。
【０００９】
さらに、情報処理システムは以下のような構成でも良い。つまり、情報処理システムは、情報処理端末と中継装置と光出力装置を有する。情報処理端末は、上述の情報処理端末の構成において、送信する外部情報が、種類情報と情報値であることを特徴とする。中継装置は上述した構成である。光出力装置における光出力制御部は、2以上の光出力方法を制御可能であり、種類情報格納部は光出力方法を識別する光出力方法識別子と種類情報とを対応付けて格納しており、光出力制御部は、外部情報受信部が受信する外部情報が有する種類情報が種類情報格納部に格納されている種類情報と一定の関係がある場合のみ、当該種類情報に対応する光出力方法識別子で識別される光出力方法により光の出力をするように光出力部に指示することを特徴とする。なお、本情報処理システムにおいても中継装置は必須ではなく、情報処理端末と光出力装置がピアツーピアで接続される構成でも良い。
【発明の効果】
【００１０】
以上のように、本発明によれば、情報処理端末の使用者の状態に関する情報が送信され、やわらかく光出力により表現されることにより、やわらかいコミュニケーションが可能になる。
【発明を実施するための最良の形態】
【００１１】
（実施の形態１）
図１は、本実施の形態における情報処理システムのブロック図である。
本情報処理システムは、情報処理端末１１と中継装置１２と光出力装置１３を有する。情報処理端末１１は、当該装置を保持している使用者の状態を示す情報である外部情報を取得し、当該外部情報を送信する。中継装置１２は、情報処理端末１１から外部情報を受信し、当該外部情報を光出力装置１３に送信する。光出力装置１３は、中継装置１２から外部情報を受信し、当該外部情報に基づいて光を出力する。
【００１２】
情報処理端末１１は、外部情報取得部１１１、送信元識別子格納部１１２、および第一外部情報送信部１１３を有する。なお、本明細書において、第一外部情報送信部等の「第一」「第二」「第三」の識別情報が付与された構成要素について、当該識別情報を除いて説明している箇所もあるが、その機能は同様である。つまり、第一外部情報送信部を、単に外部情報送信部と言う場合もある。「第一」「第二」「第三」の識別情報は、説明の都合で、区別する必要がある場合に付与している。
【００１３】
外部情報取得部１１１は、当該情報処理端末１１の使用者の状態に関する情報である外部情報を取得する。外部情報は、使用者の何らかの状態に関する情報であれば何でも良い。外部情報は、例えば、使用者がキーボードを打つ速度の情報（例えば、仕事の忙しさを示す情報）、使用者（端末）が存在する位置を示す位置情報、使用者（端末）が存在する場所を示す場所情報、端末が握られた強さを示す圧力情報、使用者の心拍数を示す情報、使用者の体温を示す情報、端末が振られた際の振られた度合いを示す情報（端末の角度変化に関する情報である角度情報）など種々ある。外部情報取得部１１１は、上記外部情報によって、実現手段が異なる。詳細は、実施の形態２以降で説明する。
【００１４】
送信元識別子格納部１１２は、当該情報処理端末１１を識別する情報である送信元識別子を格納している。送信元識別子格納部１１２は、半導体メモリやハードディスクやＣＤ−ＲＯＭなどの記憶媒体で実現される。通常、不揮発性のメモリで実現されるが、揮発性のメモリでも実現可能である。送信元識別子とは、送信元を識別する情報であれば何でも良く、例えば、本情報処理端末１１に付されたＩＰアドレスがある。ＩＰＶｅｒ６の技術が普及すれば、多くの機器にＩＰアドレスが付され、相互に通信可能になり得る。また、送信元識別子は、情報処理端末１１の使用者のメールアドレス等でも良い。また、情報処理端末１１が携帯電話である場合には、送信元識別子は電話番号でも良い。
【００１５】
第一外部情報送信部１１３は、外部情報取得部１１１で取得した外部情報と送信元識別子格納部１１２に格納されている送信元識別子を送信する。第一外部情報送信部１１３は、通信手段で実現され得るが、放送手段で実現しても良い。通信手段は、無線通信手段でも、有線の通信手段でも良い。送信する外部情報によって、無線通信手段が適するか、有線の通信手段が適するかが決まると考えられる。
【００１６】
中継装置１２は、第二外部情報受信部１２１、送信管理情報格納部１２２、送信先識別子取得部１２３、および第二外部情報送信部１２４を有する。
【００１７】
第二外部情報受信部１２１は、外部情報と当該外部情報の送信元を識別する送信元識別子を受信する。第二外部情報受信部１２１は、通常、無線または有線の通信手段により実現され得るが、放送を受信する手段により実現しても良い。
【００１８】
送信管理情報格納部１２２は、外部情報の送信先を識別する送信先識別子と送信元識別子との対である送信管理情報を１組以上格納している。送信管理情報格納部１２２は、通常は、ハードディスクなどの不揮発性のメモリで実現され得るが、揮発性のメモリを排除するものではない。なお、送信先識別子と送信元識別子は、１対１の対応であるとは限らず、ｎ対１、n対ｎの対応関係にある場合もあり得る。
【００１９】
送信先識別子取得部１２３は、第二外部情報受信部１２１が受信した送信元識別子と対になる1以上の送信先識別子を送信管理情報格納部１２２から取得する。送信先識別子取得部１２３は、通常、ソフトウェアで実現され得るが、専用回路（ハードウェア）で実現しても良い。
【００２０】
第二外部情報送信部１２４は、送信先識別子取得部１２３で取得した送信先識別子で識別される送信先に、第二外部情報受信部１２１が受信した外部情報を送信する。第二外部情報送信部１２４は、無線または有線による通信手段（例えば、モデムとそのドライバーソフトウェア等）で実現され得るが、放送手段で実現しても良い。
【００２１】
光出力装置１３は、第三外部情報受信部１３１、光出力部１３２、および光出力制御部１３３を有する。
【００２２】
第三外部情報受信部１３１は、外部情報を受信する。第三外部情報受信部１３１は、無線または有線の通信手段で実現され得るが、放送を受信する手段（チューナーおよびそのドライバーソフトウェア等）で実現しても良い。
【００２３】
光出力部１３２は、光を出力する。ＬＥＤや豆電球や液晶ディスプレイやＣＲＴなど光を出力する媒体であれば何でも良い。但し。光出力部１３２は、ＯＦＦの状態も含めて３以上の状態を有するもの、つまり多段階（２段階以上）の光を出力できるものでなければならない。つまり、ＯＮとＯＦＦの２つの状態しか有さない光出力媒体は、光出力部１３２に該当しない。
【００２４】
光出力制御部１３３は、第三外部情報受信部１３１が受信した外部情報に基づいて、光出力部１３２における光の出力を３以上の出力状態（ＯＦＦも含む）のうちから１以上の出力状態にするように指示する制御である多段階制御を行う。光出力制御部１３３は、通常、光出力部１３２を制御するソフトウェアで実現され得るが、ハードウェアで実現しても良い。
【００２５】
以下、本情報処理システムの動作について説明する。まず。情報処理端末１１の動作について図２のフローチャートを用いて説明する。
【００２６】
（ステップＳ２０１）外部情報取得部１１１が外部情報を取得したか否かを判断する。外部情報を取得すればステップＳ２０２に行き、外部情報を取得しなければステップＳ２０１に戻る。
【００２７】
（ステップＳ２０２）第一外部情報送信部１１３は、送信元識別子格納部１１２から送信元識別子を取得する。
【００２８】
（ステップＳ２０３）第一外部情報送信部１１３は、中継装置を識別する情報である中継装置識別子を取得する。中継装置識別子は、図示しない手段により予め格納されている、とする。中継装置識別子は、中継装置と通信をするための情報であり、例えば、中継装置のＩＰアドレス等である。
【００２９】
（ステップＳ２０４）第一外部情報送信部１１３は、外部情報と送信元識別子を中継装置識別子で識別される中継装置に送信する。
【００３０】
なお、図２のフローチャートによれば、外部情報の取得は、何らのトリガーもなく行われたが、情報処理端末１１の使用者が開始ボタンを押下するなどのトリガーをかけてから、動作が開始されても良い。また、光出力装置１３や中継装置１２や他の装置からトリガーをかける信号を受信した場合に、ステップＳ２０１の外部情報の取得動作を開始しても良い。
【００３１】
次に、中継装置１２の動作について、図３のフローチャートを用いて説明する。
【００３２】
（ステップＳ３０１）第二外部情報受信部１２１は、情報処理端末１１から外部情報と送信元識別子を受信したか否かを判断する。受信すればステップＳ３０２に行き、受信しなければステップＳ３０１に戻る。
【００３３】
（ステップＳ３０２）送信先識別子取得部１２３は、第二外部情報受信部１２１が受信した情報から送信元識別子を取得する。
【００３４】
（ステップＳ３０３）送信先識別子取得部１２３は、ステップＳ３０２で取得した送信元識別子と対になるすべての送信先識別子を取得する。なお、取得する送信先識別子は一つでも複数でも良い。
【００３５】
（ステップＳ３０４）第二外部情報送信部１２４は、ステップＳ３０３で取得した送信先識別子で識別される送信先に、ステップＳ３０１に受信した外部情報を送信する。その際、送信元識別子も外部情報と共に送信しても良いし、外部情報のみを送信しても良い。
【００３６】
なお、図３のフローチャートによれば、中継装置が外部情報を送信するのは、外部情報の受信をトリガーとして行ったが、光出力装置１３からのアクセス要求があった場合に、外部情報を送信しても良い。
【００３７】
次に、光出力装置１３の動作について、図４のフローチャートを用いて説明する。
【００３８】
（ステップＳ４０１）第三外部情報受信部１３１が外部情報を受信したか否かを判断する。外部情報を受信すればステップＳ４０２に行き、受信しなければステップＳ４０１に戻る。
【００３９】
（ステップＳ４０２）光出力制御部１３３は、ステップＳ４０１で受信した外部情報に基づいて、光制御のためのパラメータ（情報、式なども含む）である制御パラメータを決定する。なお、本明細書において、制御パラメータは光制御パラメータとも言う。
【００４０】
（ステップＳ４０３）光出力部１３２は、ステップＳ４０２で決定された制御パラメータに従って、光を出力する。
【００４１】
（ステップＳ４０４）光出力制御部１３３は、外部から終了信号を受信したか否かを判断する。終了信号を受信しなければステップＳ４０３に戻り、終了信号を受信すれば終了する。つまり、終了信号の受信により、光出力が中止され、光が消える。
【００４２】
なお、図４のフローチャートでは、光出力装置１３は、外部情報の受信を待っていたが、光出力装置１３から直接的または間接的に情報処理端末１１や中継装置１２に外部情報の送信を促しても良い。
【００４３】
また、図４のフローチャートにおいて送信元識別子を受信する場合に、光出力装置１３が予め光出力する（反応する）送信元識別子を格納しており、当該格納している送信元識別子と、受信した送信元識別子が一定の関係にあるときに、光出力される（反応する）という制御をしても良い。つまり、光出力装置１３において、光出力（反応）する送信元識別子をカスタマイズ可能としても良い。
【００４４】
以下、本実施の形態における情報処理システムの具体的な動作や、それを構成する光出力装置等の形状等を説明する。
今、図５に示すように、情報処理端末１１と光出力装置１３の形状が、それぞれ立方体（キューブ形状）であるとする。そして、情報処理端末１１に圧力センサーが設置されており、情報処理端末１１を握ると、握った強さを示す圧力情報が外部情報取得部によって取得されるとする。つまり、本例の場合は、外部情報は圧力情報を有し、外部情報取得部は、圧力情報取得部である。なお、図５では、情報処理端末１１には、立方体の各面（６面）に圧力センサーが設置されており、使用者が握った場合に、６面の圧力センサーにより測定された値が外部情報取得部により取得される。そして、第一外部情報送信部が外部情報を送信し、中継装置１２を経て、光出力装置１３に送信される。なお、外部情報取得部で取得した外部情報を加工した情報を第一外部情報送信部が送信しても良い。かかる場
合に送信する情報は、取得した外部情報に基づいて加工された情報であるので、外部情報と言うこととする。そして、光出力装置１３は、外部情報に基づいて光を出力する（図６参照）。図６では、電圧制御部が圧力情報に基づいて電圧を制御する。つまり、通常、情報処理端末が強く握られれば、光出力装置は強い光を発光する。
【００４５】
今、使用者が情報処理端末１１を握ったとする。すると、情報処理端末１１に設置された６つの圧力センサーにより、６つの値が取得される。この６つの値を（１０，２０，１０，１０，１０，０）であったとする。これが図７に示す表の「取得した外部情報」である。そして、情報処理端末１１は６つの値の平均値を求め、この平均値を「送信する外部情報」として、中継装置に送信する。ここでは、送信する外部情報は「１０」である。そして、「１０」の外部情報が、光出力装置１３で受信され、「１０」に基づいて光出力される。つまり、外部情報は、取得した情報そのままでも良いし、取得した情報を加工した情報でも良い。なお、加工のしかたは問わない。
【００４６】
今、図６に示すように光出力装置１３は、電圧制御部が豆電球に繋がっている構成をとる。そして、電圧制御部は、外部情報の「１０」に基づいて電圧を決定し、豆電球に電圧をかける。そして、光出力される。つまり、情報処理端末１１の使用者は、強く端末を握れば、光出力装置１３は明るく輝き、軽く端末を握れば、光出力装置１３はぼんやりと暗く光る。なお、豆電球の代わりにＬＥＤ等を用いても良い。
【００４７】
そして、光出力装置１３の光出力制御部１３３は、図８に示すような「受信した外部情報」と「電圧」の関係により、多段階に光の出力を制御する。つまり、「受信した外部情報」が２０以下の場合は、外部情報の値と同じ値の電圧をかけて豆電球を制御する。そして、「受信した外部情報」が２０より大きい場合は、２０の電圧をかけて豆電球を制御する。これにより、光出力制御部１３３は、消えている（電圧０）状態を含めて３以上の状態の中から１の状態（電圧）で光の強さ（制御パラメータ）を決定し、光出力部１３２（豆電球）はそのパラメータに応じて光を出力する。
【００４８】
以上、本実施の形態によれば、情報処理端末の使用者の状態である外部情報を、中継装置を経て光出力装置に送信し、光出力することにより、ぼんやりとやわらかく情報処理端末の使用者の状態を特定の人に伝えることができる。これにより、特定の人の何からの状態を知った人は、種々の対応が可能である。外部情報の具体的な例と種々の対応等の詳細については、実施の形態２以降で説明する。
【００４９】
なお、情報処理端末の握り具合を光出力装置に伝える意義は以下の通りである。例えば、２人の恋人が各々情報処理端末と光出力装置を所有している。そして、一方が他方に会いたい気持ちを、情報処理端末を強く握ることで伝える。光出力装置を持っている他方は、相手の気持ちを何となく理解できる。以上のように、親しい二人の間で、やわらかいコミュニケーションができる。
【００５０】
また、本実施の形態、および以下で述べるすべての実施の形態において、中継装置は必須ではなく、情報処理端末と光出力装置で直接的に外部情報の送受信をしても良い。
【００５１】
また、本実施の形態において、情報処理端末と中継装置の間で、送信元識別子が送受信され、中継装置が受信した送信元識別子から送信先識別子を取得する構成であったが、情報処理端末から送信先識別子が中継装置に送信され、かつ中継装置は、以下の構成でも良い。
【００５２】
つまり、中継装置は、外部情報の送信先を識別する送信先識別子と外部情報を受信する第二外部情報受信部と、第二外部情報受信部が受信した外部情報が有する送信先識別子で
識別される送信先に、第二外部情報受信部が受信した外部情報を送信する第二外部情報送信部とを具備する構成でも良い。なお、第二外部情報送信部は、自動的に外部情報を送信しても、光出力装置からの外部情報アクセス要求があった場合に、外部情報を送信しても良い。以上の２種類の中継装置がありえるのは、本明細書の全ての実施の形態において言える。
【００５３】
また、本実施の形態によれば、光出力制御部１３３は、外部情報に基づいて光の強さを制御したが、他の光の制御をしても良い。他の光の制御には、以下のようなものがある。
【００５４】
まず、光出力制御部１３３は、外部情報に基づいて、３以上の光の色のうちから１の光の色を出力するように指示しても良い。具体的には、図９に示すように、光出力部１３２を構成する光源は「赤」「青」「緑」の３つのＬＥＤが束ねてある構成であるとする。そして、光出力制御部１３３は、第三外部情報受信部１３１が受信した外部情報に基づいて、「赤」「青」「緑」の３原色のＬＥＤに各々、どれぐらいの電圧をかけて、３つのＬＥＤを光らすかを決定する。つまり、3色の光の強さを決定する。３つのＬＥＤを光の強度を制御することにより、出力する光の色が制御できる。
【００５５】
また、３以上の光の点滅方法のうちから１の光の点滅方法で光の出力をするように指示しても良い。つまり、例えば、図１０に示すような「受信した外部情報」と「点滅パターン」の情報を光出力制御部１３３が管理している。そして、受信した外部情報に基づいて、豆電球のＯＮ／ＯＦＦのパターンを決定する。
【００５６】
また、３以上の光源の回転方法のうちから１の光源の回転方法で光を出力するように指示しても良い。具体的には、例えば、以下の構成をとる。つまり、図１１に示すように、例えば、光出力部１２の横に回転可能な反射鏡が設置されている、とする。そして、モータ等の動力により反射鏡が回転する。そして、反射鏡の回転パターンや回転速度等が受信した外部情報に基づいて決められる。例えば、受信した外部情報の値を回転速度として、反射鏡が回転する。なお、光源の回転が視覚的に認識できれば、その構成を問わない良い。つまり、反射鏡の回転により、光源が回転しているように認識できても良いし、光を遮断する遮蔽板が光源の横にあって、その遮蔽板が回転しても良いし、拡散しない光源があり、その光源自体が回転しても良い。
【００５７】
さらに、３以上の光源の大きさのうちから１の光源の大きさで光を出力するよう指示しても良い。具体的には、例えば、以下の構成をとる。つまり、図１２に示すように、立方体の中にさらに立方体を構成して、光を出力するディスプレイ（例えば、液晶ディスプレイ）が６つ存在している。この６つのディスプレイが光出力部１３２である。そして、ディスプレイに出力する光（例えば、赤色、円形グラフィックス表示）により光出力装置１３がぼんやり赤く光っているように見える。そして、受信した外部情報に基づいてディスプレイに出力する光（グラフィック表示）の大きさを変更することにより、光出力制御を行う。
【００５８】
また、本実施の形態において、情報処理端末と光出力装置の形状は、立方体であったが、球状や人形、動物の形など、何でも良い。これも、すべての実施の形態において同様である。
【００５９】
さらに、本実施の形態において説明した動作について、ソフトウェアで実現し、当該ソフトウェアを例えば、サーバ上に置いて、ソフトウェアダウンロードにより当該ソフトウェアを配布しても良い。さらにソフトウェアをＣＤ−ＲＯＭ等の記録媒体に記録して流布しても良い。このことも、すべての実施の形態において同様である。
【００６０】
（実施の形態２）
図１３は、本実施の形態における情報処理システムのブロック図である。
本情報処理システムは、情報処理端末１３０１と中継装置１２と光出力装置１３０３を有する。
【００６１】
情報処理端末１３０１は、外部情報取得部１３０１１、送信元識別子格納部１１２、および第一外部情報送信部１１３を有する。
【００６２】
外部情報取得部１３０１１は、圧力取得手段１３０１１１、位置情報取得手段１３０１１２、および外部情報構成手段１３０１１３を有する。
【００６３】
圧力取得手段１３０１１１は、圧力に関する情報である圧力情報を取得する。圧力取得手段１３０１１１は、1以上の圧力センサーにより実現され得る。圧力取得手段１３０１１１は、例えば、実施の形態１で述べたように、６つの圧力センサーの値を取得する、とする。
【００６４】
位置情報取得手段１３０１１２は、情報処理端末１３０１が存在する位置に関する情報である位置情報を取得する。位置情報取得手段１３０１１２は、例えば、ＧＰＳシステムの受信機で構成され得る。かかる場合、位置情報は、ＧＰＳ座標値である。
【００６５】
外部情報構成手段１３０１１３は、圧力取得手段１３０１１１が取得した圧力情報および／または位置情報取得手段１３０１１２が取得した位置情報に基づいて外部情報を構成する。外部情報は、情報の種類を示す情報である種類情報と当該種類情報に対応する値である情報値の組を1組以上有する。
【００６６】
光出力装置１３０３は、第三外部情報受信部１３１、光出力部１３０３１、種類情報格納部１３０３２、光出力制御部１３０３３およびを有する。
【００６７】
光出力部１３０３１は、2以上の光出力手段を具備する。ここでは、２つの光出力手段を具備しているとし、各々第一光出力手段１３０３１１、第二光出力手段１３０３１２とする。第一光出力手段１３０３１１、および第二光出力手段１３０３１２は、実施の形態１で述べた種々の光出力の手段のうちの１つ、または２以上を組み合わせた構成により、実装され得る。実施の形態１で述べた種々の光出力の手段とは、以下の５種類の光出力手段を言う。第一は、３以上の光の強さ（光らないＯＦＦの場合も含めて）のうちから１の光の強さを出力する手段である。第二は、３以上の光の色（ＯＦＦも含めて）のうちから１の光の色を出力する手段である。第三は、３以上の光の点滅方法（点滅しないＯＦＦも含めて）のうちから１の光の点滅方法で光の出力をする手段である。第四は、３以上の光源の回転方法（ＯＦＦも含めて）のうちから１の光源の回転方法で光を出力する手段である。第五は、３以上の光源の大きさ（ＯＦＦも含めて）のうちから１の光源の大きさで光を出力する手段である。本明細書において、５種類の上記の光出力方法を各種光出力方法と言う場合がある。なお、各種光出力方法については、実施の形態1で説明済みである。
【００６８】
種類情報格納部１３０３２は、外部情報の種類情報を格納している。種類情報格納部１３０３１は、ハードディスクなどの不揮発性の記録媒体だけではなく、不揮発性の記録手段でも実現し得る。
【００６９】
光出力制御部１３０３３は、第三外部情報受信部１３１が受信する外部情報に含まれる種類情報が種類情報格納部１３０３１に格納されている種類情報と一定の関係がある場合のみ、光出力部１３２に光の出力を指示する。また、光出力制御部１３０３３は、第三外部情報受信部１３１が受信した外部情報が有する種類情報と情報値に基づいて２以上の光
出力部１３０３１における光の出力を制御する。光出力制御部１３０３３は、通常、ソフトウェアで実現され得るが、専用回路（ハードウェア）実現しても良い。
【００７０】
以下、本情報処理システムの動作について説明する。まず。情報処理端末１３０１の動作について図１４のフローチャートを用いて説明する。
【００７１】
（ステップＳ１４０１）位置情報取得手段１３０１１２は、位置情報を取得する。
【００７２】
（ステップＳ１４０２）圧力取得手段１３０１１１は、圧力の入力があったか否かを判断する。圧力の入力があれば、ステップＳ１４０３に行き、圧力情報の入力がなければステップＳ１４０４に飛ぶ。
【００７３】
（ステップＳ１４０３）圧力取得手段１３０１１１は、圧力情報を生成する。圧力情報の生成とは、1以上の圧力センサーの測定結果から送信する圧力情報を構成することを言う。「圧力情報を構成する」とは、例えば、圧力センサーが６つある場合に、６つのセンサーの測定値の平均をとる処理を言う。また、「圧力情報を構成する」とは、例えば、圧力センサーが６つある場合に、圧力を検知できたセンサーの数によって、情報処端末をどのように触ったかがわかり、その触った状態を推測して情報として生成するような処理がある。具体的には、５つのセンサーが０より大きな値を検知した場合は、使用者は情報処理装置をわし掴みしていると判断する。また、４つのセンサーから値を検知できた場合は、使用者は情報処理装置を普通に掴んでいる、と判断する。さらに、１つのセンサーのみ値を検知できた場合は、使用者は情報処理装置を指等で触っている（押している）だけである、と判断する。そして、圧力取得手段１３０１１１は、触り方（例えば、０より大きな値を示したセンサーの数が触り方を示す値である、とする。）と圧力の大きさ（例えば、「０より大きな値を示したセンサーの測定値の総和」／「０より大きな値を示したセンサーの数」を圧力の大きさとする。）の２つの情報を圧力情報として生成する、ことが考えられる。
【００７４】
（ステップＳ１４０４）外部情報構成手段１３０１１３は、位置情報および／または圧力情報から外部情報を構成する。なお、この外部情報は、情報の種類を示す情報である種類情報と当該種類情報が示す情報の値である情報値の組を1組以上有する。
【００７５】
（ステップＳ１４０５）第一外部情報送信部１１３は、ステップＳ１４０４で構成した外部情報を送信する。なお、この外部情報の送信は、中継装置への送信を言うが、中継装置が存在しない場合は、光出力装置への送信を言う。
【００７６】
なお、図１４のフローチャートによれば、外部情報の取得は、何らのトリガーもなく行われたが、情報処理端末１１の使用者が開始ボタンを押下するなどのトリガーをかけてから、動作が開始されても良い。また、光出力装置１３や中継装置１２や他の装置からトリガーをかける信号を受信した場合に、ステップＳ２０１の外部情報の取得動作を開始しても良い。
【００７７】
次に、光出力装置１３０３の動作について、図１５のフローチャートを用いて説明する。
【００７８】
（ステップＳ１５０１）第三外部情報受信部１３１が、外部情報を受信したか否かを判断する。外部情報を受信すればステップＳ１５０２に行き、外部情報を受信しなければステップＳ１５０１に戻る。
【００７９】
（ステップＳ１５０２）カウンタｉに１を代入する。
【００８０】
（ステップＳ１５０３）光出力制御部１３０３３は、受信した外部情報中に、ｉ番目の情報種類と情報値が存在するか否かを判断する。存在さればステップＳ１５０４に行き、存在しなければステップＳ１５０７に飛ぶ。
【００８１】
（ステップＳ１５０４）光出力制御部１３０３３は、ｉ番目の情報種類と情報値を取得する。
【００８２】
（ステップＳ１５０５）光出力制御部１３０３３は、ｉ番目の情報種類が、種類情報格納部１３０３２に格納されている情報種類と一定の関係があるか否かを判断する。一定の関係があればステップＳ１５０６に行き、一定の関係がなければステップＳ１５０８に飛ぶ。
【００８３】
（ステップＳ１５０６）光出力制御部１３０３３は、ｉ番目の情報種類と情報値に基づいて光出力するための制御パラメータを決定する。
【００８４】
（ステップＳ１５０７）光出力部１３０３１は、ステップＳ１５０６で決定された制御パラメータに基づいて光を出力する。
【００８５】
（ステップＳ１５０８）ｉを1増加させる。
【００８６】
（ステップＳ１５０９）終了信号が入力されたか否かを判断する。終了信号が入力されれば光出力を終了する。終了信号が入力されなければステップＳ１５０３に戻る。
【００８７】
なお、図１５のフローチャートでは、光出力装置１３は、外部情報の受信を待っていたが、光出力装置１３から直接的または間接的に情報処理端末１３０１や中継装置１２に外部情報の送信を促しても良い。
【００８８】
また、図１５のフローチャートでは、すべての種類情報に対応する情報値の制御パラメータを決定して光出力した後は、ステップＳ１５０８により、無意味にカウンタｉをインクリメントすることとなるが、すべての種類情報に対応する情報値の制御パラメータを決定して光出力した後は、ステップＳ１５０８の処理を飛ばすなどの工夫をしても良い。かかる工夫は、本明細書において関連する全てのフローチャートに当てはまる。なお、本明細書における全てのフローチャートは、当然ながら、処理の一形態を説明するものである。
【００８９】
以下、本実施の形態における情報処理システムの具体的な動作等を説明する。
今、図１６に示すように、情報処理端末１３０１と光出力装置１３０３の形状が、それぞれ立方体（キューブ形状）であるとする。そして、情報処理端末１３０１は、６面の各面に１つずつ、合計６つの圧力センサーと、１つのＧＰＳの受信機を有している。かかる設備を有する情報処理端末１３０１は、図１７に示すような構造の情報を圧力情報取得手段によって得る。具体的な圧力情報の例は、図１８に示す。また、情報処理端末１３０１は、ＧＰＳ座標値の構造を有する位置情報（Ｘ，Ｙ，Ｚ）を位置情報取得手段によって得る。具体的な位置情報の例は、図１９に示す。外部情報構成手段１３０１１３は、６つの圧力情報に基づいて送信する圧力情報を得る。具体的には、「0以外の情報の総和」／「0以外の情報の数」を情報値として計算する。この例の場合は、（０＋０＋２０＋５＋５＋２０）／４により１２．５の値を得る。そして圧力情報として、「<情報種類>圧力情報、<ＩＤ>１、<情報値>１２．５」を得る。
【００９０】
以上より、外部情報構成手段１３０１１３は、図２０に示すような２つの種類情報と情
報値とＩＤを有するレコードを２組構成する。つまり、外部情報は、「種類情報」と「情報値」と「ＩＤ」を有するレコードが1組以上存在する構成となる。なお、「ＩＤ」は、種類情報を識別する情報であり、「ＩＤ」を「種類情報」としても良い。
【００９１】
そして、第一外部情報送信部１１３は、上記外部情報を中継装置１２経由で光出力装置１３０３に送信する。光出力装置１３０３の第三外部情報受信部１３１は、外部情報を受信する。
【００９２】
次に、種類情報格納部１３０３２は、情報種類として、「位置情報」と「圧力情報」を格納している、とする。かかる場合、図２０に示す情報は、2レコードとも光制御の対象になる。そして、本実施の形態において、光出力制御部１３０３３は、情報種類「位置情報」の値に応じて、第一光出力手段１３０３１１を制御し、情報種類「圧力情報」の値に応じて、第二光出力手段１３０３１２が制御する、とする。そして、第一光出力手段１３０３１１は、青のＬＥＤで構成され、加える電圧を強くするほど強く光る。また、第二光出力手段１３０３１２は、赤のＬＥＤで構成され、加える電圧を強くするほど強く光る。図２１は、簡単な光出力装置１３０３の外観を示した図である。また、図２２は、光出力している光出力装置１３０３の様子を示した図である。なお、もし受信した外部情報に「位置情報」と「圧力情報」以外の情報種類のレコードが含まれていれば、そのレコード（情報値など）は無視される。
【００９３】
また、かかる場合、光出力制御部１３０３３は、光出力装置１３０３の位置情報を持っており（例えば、情報処理端末と同じＧＰＳ受信機を保持している。）、受信した位置情報（本例の場合は、（１３６，１１０，５））と保持している位置情報に基づいて、情報処理端末と光出力装置の距離を算出し、当該距離に基づいて出力する光の強さを制御する。例えば、両装置が近づけば近づくほど、光の強さは増す、という制御をする。かかる光の制御により、情報処理端末を持っている人と光出力装置を持っている人の距離がやわらかく伝わる。従って、上述した「外部情報に基づいて光出力を制御する」というのは、外部情報以外の情報を利用しても良い。
【００９４】
また、複数の位置情報と位置情報を取得した時刻に基づいて、情報処理端末の動く方向が取得できる。かかる方向により、情報処理端末が光出力装置に近づいているのか遠ざかっているのかが判断できる。この方向の情報に基づく判断により、光出力装置が光の強さを変えたり、光の色を変えたりするなどの光制御を行っても良い。なお、移動する方向を取得する技術として、地磁気センサー等を利用した公知技術等を用いても良い。
【００９５】
また、情報処理端末を握る強さを、第二光出力手段に出力する。その場合、握る強さを光出力の強さとして出力することが考えられる。
【００９６】
例えば、恋人どうしが会うために接近しており、かつ情報処理端末を持っている人が当該端末を強く握っていた場合に、上記の光出力動作により、立方体の形状を有する光出力装置の青い出力（位置情報の出力）と赤い出力（圧力情報）はどんどん強くなって、相手に会いたい、という気持ちが、やわらかく伝わる。
【００９７】
以上、本実施の形態によれば、複数の種類の情報が情報処理端末から光出力装置に伝わり、多数の情報が人から人へのやわらかく伝わる通信システムを提供できる。
【００９８】
なお、本実施の形態において、外部情報を構成するものとして、位置情報と圧力情報を選択したが、情報処理端末を保持する者の状態を示す情報であれば他でも良い。
【００９９】
また、光出力制御は、光の強さを制御する態様で説明したが、実施の形態１で述べた他
の態様でも（５種類の光制御方法のうちどれでも）良い。これは、すべての実施の形態において適用される。
また、光出力部１３０３１が有する光出力出段は２つであったが、3以上でも良いし、１つでも良い。
【０１００】
また、本実施の形態において、位置情報の取得は、ＧＰＳを用いておこなったが、携帯電話の基地局からの電波を利用して位置情報を取得するなど、他の手段でも良い。かかる技術は公知技術であるので、詳細な説明は省略する。
【０１０１】
また、本実施の形態において、固定的に、位置情報に基づいて第一光出力手段を制御し、圧力情報に基づいて第二光出力手段を制御していたが、どの情報に基づいてどの光出力手段を制御するかについてカスタマイズ可能であっても良い。
【０１０２】
さらに、光出力装置１３０３が受信する外部情報が有する種類情報が種類情報格納部１３０３２に格納されている場合（つまり、外部情報が有する種類情報と種類情報格納部１３０３２に格納されている種類情報が一致する場合）に光制御の対象としたが、外部情報が有する種類情報と種類情報格納部１３０３２に格納されている種類情報が一定の関係にあれば光出力制御の対象として良い。
【０１０３】
（実施の形態３）
図２３は、本実施の形態における情報処理システムのブロック図である。
本情報処理システムは、情報処理端末１３０１と中継装置１２と光出力装置２３０３を有する。
【０１０４】
光出力装置２３０３は、第三外部情報受信部１３１、光出力部１３０３１、種類情報格納部２３０３２、光出力制御部２３０３３およびを有する。
【０１０５】
種類情報格納部２３０３２は、光出力方法を識別する光出力方法識別子と種類情報とを対応付けて格納している。
【０１０６】
光出力制御部２３０３３は、第三外部情報受信部１３１が受信する外部情報が有する種類情報が種類情報格納部２３０３２に格納されている種類情報と一定の関係がある場合のみ、当該種類情報に対応する光出力方法識別子で識別される光出力方法により光の出力をするように光出力部１３０３１に指示する。
【０１０７】
次に、光出力装置１３０３の動作について、図２４のフローチャートを用いて説明する。
【０１０８】
（ステップＳ２４０１）第三外部情報受信部１３１が、外部情報を受信したか否かを判断する。外部情報を受信すればステップＳ２４０２に行き、外部情報を受信しなければステップＳ２４０１に戻る。
【０１０９】
（ステップＳ２４０２）カウンタｉに１を代入する。
【０１１０】
（ステップＳ２４０３）光出力制御部２３０３３は、受信した外部情報中に、ｉ番目の情報種類と情報値が存在するか否かを判断する。存在さればステップＳ２４０４に行き、存在しなければステップＳ２４０７に飛ぶ。
【０１１１】
（ステップＳ２４０４）光出力制御部２３０３３は、ｉ番目の情報種類と情報値を取得する。
【０１１２】
（ステップＳ２４０５）光出力制御部２３０３３は、ｉ番目の情報種類が、種類情報格納部２３０３２に格納されている情報種類と一定の関係があるか否かを判断する。一定の関係があればステップＳ２４０６に行き、一定の関係がなければステップＳ２４０８に飛ぶ。
【０１１３】
（ステップＳ２４０６）光出力制御部２３０３３は、ｉ番目の情報種類と情報値に基づいて光出力するための制御パラメータを決定する。この制御パラメータの決定は、詳細には、例えば、以下のように決定する。種類情報格納部２３０３２には、例えば、光出力手段を識別する「光出力手段識別子」と、「種類情報」と光出力方法を識別する「光出力方法識別子」を有する光出力制御レコードを複数有する光出力制御表を格納している。そして、光出力制御部２３０３３は、種類情報格納部２３０３２に格納されている光出力制御表のｉ番目のレコードの「光出力手段識別子」で識別される光出力手段を「光出力方法識別子」で識別される光出力方法で光出力の制御をする。その際、光出力制御部２３０３３は、ｉ番目の情報値をパラメータとして与えて、光出力制御する。
【０１１４】
（ステップＳ２４０７）光出力部１３０３１が有する上記ｉ番目のレコードの「光出力手段識別子」で識別される光出力手段は、ステップＳ２４０６で決定された制御パラメータに基づいて光を出力する。
【０１１５】
（ステップＳ２４０８）ｉを1増加させる。
【０１１６】
（ステップＳ２４０９）終了信号が入力されたか否かを判断する。終了信号が入力されれば光出力を終了する。終了信号が入力されなければステップＳ２４０３に戻る。
【０１１７】
なお、図２４のフローチャートでは、光出力装置１３は、外部情報の受信を待っていたが、光出力装置１３から直接的または間接的に情報処理端末１３０１や中継装置１２に外部情報の送信を促しても良い。
【０１１８】
以下、本実施の形態における情報処理システムの具体的な動作等を説明する。
今、図２５に示すような光出力制御表が、種類情報格納部２３０３２に格納されている。光出力制御表は、上述したように、例えば、「光出力手段識別子」、「種類情報」、および「光出力方法識別子」を有する光出力制御レコードを複数有する。そして、図２６に示すような５種類の光出力制御方法識別子で識別される光制御方法に第一光出力手段、第二光出力手段は対応可能である、とする。この図２６のデータは、例えば予め種類情報格納部に格納されている、とする。そして、図２５の表の「光出力方法識別子」は、図２６に示す５種類の光出力制御方法識別子のうちから選択可能である。つまり、図２７に示すような「種類情報・光出力方法識別子の設定パネル」により、図２５の表の「種類情報」、「光出力方法識別子」のカスタマイズが可能である。図２７は、第二光出力手段の光出力方法識別子をカスタマイズするパネルとメニューの表示例を示す図である。
【０１１９】
以上により、1以上の光出力手段毎に設定された「種類情報」「光出力方法識別子」と第三外部情報受信部が受信した外部情報に基づいて光出力制御される。
【０１２０】
具体的には、例えば、図２０に示す外部情報が情報処理端末から中継装置を経由して光出力装置に送信されたとする。かかる場合、位置情報（１３６，１１０，５）に基づいて、第二光出力手段が、光を回転させる方法により上記位置情報を示す。つまり、例えば、光出力装置も位置情報を取得する手段（例えば、ＧＰＳ受信機）を持っていて、光出力装置が取得する位置情報と受信した位置情報に基づいて、情報処理端末と光出力装置の距離を算出する。そして、その距離が近いほど、例えば、第二光出力手段の光の回転（回転す
る反射鏡の回転により実現し得るのであるが。）を速くする。また、情報処理端末と光出力装置の距離が遠い場合は、遅く回転する。
【０１２１】
また、光出力装置が、図２０に示す外部情報の圧力情報「１２．５」を受信する。そして、「圧力情報１２．５」に基づいて、第一光出力手段が点滅により光出力制御される。具体的には、圧力情報が大きいほど点滅の間隔が短く光を発生する。例えば、圧力情報がＸの値をとる場合、１０／Ｘの間隔で光出力のＯＮ／ＯＦＦを切り替える。
【０１２２】
以上、本実施の形態によれば、複数の種類の情報が情報処理端末から光出力装置に伝わり、多数の情報が人から人へとやわらかく伝わる通信システムを提供できる。また、種類情報と光出力方法識別子をカスタマイズすることにより、光出力装置の使用者の好みにあった光出力方法を取り得、また情報処理端末の情報を取得する能力に合った光出力装置が実現可能である。
【０１２３】
なお、本実施の形態において、外部情報を構成するものとして、位置情報と圧力情報を選択したが、情報処理端末を保持する者の状態を示す情報であれば他でも良い。
【０１２４】
また、光出力部１３０３１が有する光出力出段は２つであったが、3以上でも良いし、１つでも良い。光出力出段が一つの場合は、種類情報格納部に格納されている光出力制御表の「光出力手段識別子」の属性は必要がない。光出力する対象は決まるからである。
【０１２５】
また、本実施の形態において、光出力装置における光出力制御部が「光出力手段識別氏」「種類情報」「光出力方法識別子」を有するレコードから構成される表を保持していたが、当該表は中継装置で管理され、当該表に基づいて光制御パラメータを決定する処理を中継装置で行っても良い。かかる場合、中継装置は外部情報として、決定した光制御パラメータを光出力装置に送信する。そして、光制御パラメータを受信した光出力装置は、単に当該光制御パラメータに基づいて光出力すれば良い。このような構成にすることにより、簡単な構成の光出力装置が実現できる。本明細書における他の実施の形態においても同様のことが言える。つまり、光出力装置で行う処理（例えば、光制御パラメータの決定等の処理）を中継装置が行って、光出力装置は単に光を出力する装置として機能しても良い。
【０１２６】
さらに、光出力装置２３０３が受信する外部情報が有する種類情報と種類情報格納部２３０３２に格納されている種類情報が一致する場合に光制御の対象としたが、外部情報が有する種類情報と種類情報格納部１３０３２に格納されている種類情報が一定の関係にあれば光出力制御の対象として良い。一定の関係とは、例えば、種類情報がグループ化されており、外部情報が有する種類情報と種類情報格納部２３０３２に格納されている種類情報が同一のグループに属する場合を言う。一定の関係とは、その他、種々考えられる。
【０１２７】
（実施の形態４）
図２８は、本実施の形態における情報処理システムの概念図を示す。本情報処理システムは、情報処理端末２８０１、中継装置１２、光出力装置２８０３、および入力手段２８０４を具備する。
【０１２８】
情報処理端末２８０１は、コンピュータで構成され、キーボードを打つ信号を検知して一定の時間にキーボードを打った数を算出して、キーボードを打つ速度の情報であるキーボード情報を求める。そして、キーボード情報を有する外部情報を中継装置１２に送信する。
【０１２９】
光出力装置２８０３は、中継装置１２を経由して受信したキーボード情報を有する外部
情報を蓄積して、キーボード情報の履歴を光出力により外部に知らせる。
【０１３０】
入力手段２８０４は、キーボード、マウス、またはリモコンなどの情報を入力する手段である。
【０１３１】
次に、本情報処理システムのブロック図を図２９に示す。
情報処理端末２８０１は、外部情報取得部２８０１１、送信元識別子格納部１１２、第一外部情報送信部１１３を有する。
【０１３２】
外部情報取得部２８０１１は、入力信号受付手段２８０１１１、入力速度情報生成手段２８０１１２、外部情報構成手段２８０１１３を有する。
【０１３３】
外部情報取得部２８０１１は、外部情報を取得する。本実施の形態における外部情報は、キーボードなどのデータ入力手段によりデータを入力する速度を示す情報である入力速度情報から外部情報を構成する。
【０１３４】
入力信号受付手段２８０１１１は、入力手段２８０４からの入力信号を受け付ける。例えば、キーボード入力の信号を取得するハードウェアおよびソフトウェアにより構成され得る。
【０１３５】
入力速度情報生成手段２８０１１２は、入力信号受付手段２８０１１１が受け付けた入力信号に基づいて情報の入力速度を示す情報である入力速度情報を生成する。入力速度情報生成手段２８０１１２は、通常、ソフトウェアで実現され得るが、専用回路（ハードウェア）で実現しても良い。
【０１３６】
外部情報構成手段２８０１１３は、入力速度情報生成手段２８０１１２が生成した入力速度情報を有する外部情報を構成する。但し、外部情報と入力速度情報が同一のデータの場合もあり得る。かかる場合、外部情報構成手段２８０１１３は何もしない、つまり「ｎｏｐ」である。
【０１３７】
光出力装置２８０３は、第三外部情報受信部１３１、外部情報記録部２８０３１、光出力部２８０３２、および光出力制御部２８０３３を具備する。
【０１３８】
外部情報記録部２８０３１は、第三外部情報受信部１３１が受信した外部情報を記録する。外部情報の記録先は、図示しない記録媒体である。この記録媒体は、例えば、外部情報記録部２８０３１に存在する。この記録媒体は、ハードディスクや半導体メモリなどの不揮発性のメモリでも、揮発性メモリでも良い。外部情報記録部２８０３１は、通常、情報を記録するソフトウェアで実現されるが、専用回路（ハード）で実現しても良い。
【０１３９】
光出力部２８０３２は、パラメータに従って、光を出力する。なお、このパラメータは、外部情報記録部２８０３１が記録した１以上の外部情報または／および第三外部情報受信部１３１が受信する外部情報に基づいて決められる。従って、光出力部２８０３２は、受信した外部情報の履歴について視覚的に分かるように光出力する。
【０１４０】
光出力制御部２８０３３は、光出力部２８０３２の光出力を制御する。具体的には、外部情報記録部２８０３１が記録した１以上の外部情報または／および第三外部情報受信部１３１が受信する外部情報に基づいて光出力部２８０３２における光の出力を制御するパラメータを決定する。
【０１４１】
以下、本情報処理システムの動作についてフローチャートを用いて説明する。まず、情
報処理端末２８０１の動作を図３０のフローチャートを用いて説明する。
【０１４２】
（ステップＳ３００１）図示しないタイマーを０に設定する。このタイマーは、情報処理端末２８０１の種々の処理とは無関係にカウントアップされる。
【０１４３】
（ステップＳ３００２）入力信号受付手段２８０１１１は、入力信号の受け付けがあったか否かを判断する。なお、入力信号があれば、図示しないキューに蓄積される。そして、入力信号受付手段２８０１１１は、このキューの中にデータが存在するか否かを定期的に見に行く。
【０１４４】
（ステップＳ３００３）入力信号受付手段２８０１１１は、一定期間にあった全ての入力信号を取得する。具体的には、入力信号受付手段２８０１１１は、キューの中のデータを全て取得し、キューを空にする。なお、入力信号受付手段２８０１１１は、キューの中のデータの数を算出するだけでも良い。
【０１４５】
（ステップＳ３００５）入力速度情報生成手段２８０１１２は、ステップＳ３００３で取得したデータまたはデータの数に基づいて入力速度情報を生成する。
【０１４６】
（ステップＳ３００６）第一外部情報送信部１１３は、送信元識別子格納部１１２から送信元識別子を取得する。
【０１４７】
（ステップＳ３００７）第一外部情報送信部１１３は、中継装置を識別する情報である中継装置識別子を取得する。中継装置識別子は、図示しない手段により予め格納されている、とする。中継装置識別子は、中継装置と通信をするための情報であり、例えば、中継装置のＩＰアドレス等である。
【０１４８】
（ステップＳ３００８）第一外部情報送信部１１３は、外部情報と送信元識別子を中継装置識別子で識別される中継装置に送信する。
【０１４９】
（ステップＳ３００９）別途カウントアップしているタイマーが一定の値（ｎ）になるまで待つ（つまり、ＷＡＩＴする。）。
【０１５０】
（ステップＳ３０１０）終了信号を受信したか否かを判断する。受信すれば終了し、受信しなければステップＳ３００１に戻る。
【０１５１】
なお、図３０のフローチャートによれば、外部情報の取得（ステップＳ３００１からの処理）は、何らのトリガーもなく行われたが、情報処理端末２８０１の使用者が開始ボタンを押下するなどのトリガーをかけてから、動作が開始されても良い。また、光出力装置２８０３や中継装置１２や他の装置からトリガーをかける信号を受信した場合に、ステップＳ３００１からの外部情報の取得動作を開始しても良い。
【０１５２】
次に、光出力装置２８０３の動作について、図３１のフローチャートを用いて説明する。
【０１５３】
（ステップＳ３１０１）第三外部情報受信部１３１が外部情報を受信したか否かを判断する。外部情報を受信すればステップＳ３１０２に行き、受信しなければステップＳ３１０１に戻る。
【０１５４】
（ステップＳ３１０２）外部情報記録部２８０３１は、ステップＳ４０１で受信した外部情報を記録する。
【０１５５】
（ステップＳ３１０３）光出力制御部２８０３３は、外部情報記録部２８０３１が記録した外部情報を全て（履歴情報）を読み出す。
【０１５６】
（ステップＳ３１０４）光出力制御部２８０３３は、ステップＳ３１０３で取得した履歴情報に基づいて、光制御のためのパラメータである制御パラメータを決定する。
【０１５７】
（ステップＳ３１０５）光出力部２８０３２は、ステップＳ３１０２で決定された制御パラメータに従って、光を出力する。
【０１５８】
（ステップＳ３１０６）光出力制御部２８０３３は、外部から終了信号を受信したか否かを判断する。終了信号を受信しなければステップＳ３１０１に戻り、終了信号を受信すれば終了する。つまり、終了信号の受信により、光出力が中止され、光が消える。
【０１５９】
なお、図３１のフローチャートでは、光出力装置２８０３は、外部情報の受信を待っていたが、光出力装置２８０３から直接的または間接的に情報処理端末２８０１や中継装置１２に外部情報の送信を促しても良い。
【０１６０】
また、図３１のフローチャートでは、光出力制御部は、外部情報記録部が記録した１以上の外部情報に基づいて光出力部における光の出力を制御していたが、外部情報記録部が記録した１以上の外部情報および外部情報受信部が受信した外部情報に基づいて光出力部における光の出力を制御しても良い。つまり、外部情報記録部が外部情報を記録するタイミングは、光出力をする前でも後でも良い。
【０１６１】
以下、本実施の形態における情報処理システムの具体的な動作等を説明する。
今、図３２に示すような外部情報の履歴（履歴情報）が、外部情報記録部によって記録されている。履歴情報は、外部情報と当該外部情報が送信された時刻を有するレコードからなる。図３２に示す履歴情報は、９時１分から１０時までに光出力装置に送信された外部情報により構成されている。
【０１６２】
光出力制御部は、上記の外部情報を読み出し、外部情報の値の変遷が視覚的に分かるように光出力制御を行う。図３２によれば、情報処理端末で取得する入力速度情報は、だんだん速くなっている。従って、図３３に示すように、光出力装置の立方体の右側にいくほど、光が強く放出されている。なお、光出力装置は、立方体であり、左側の表示が過去の入力速度情報で、右側にいくほど最近の入力速度情報を示している。
【０１６３】
なお、光出力装置の光出力部は、図３４に示すように６面のディスプレイ（例えば、液晶ディスプレイ）で構成されても良いし、図３５に示すような構造でも良い。光出力部が６面のディスプレイで構成されている場合は、例えば、図３４のようなグラジュエーションで光の強さが視覚的にぼんやり表される。また、図３５に示す構造とは、立方体がある間隔で間仕切りがされており、各間においてＬＥＤが設置されている。そして、光出力制御部は、履歴情報に基づいて各間のＬＥＤの光の強さを制御する。具体的には、最右側のＬＥＤは、一番最近の外部情報に基づいて光の強さが決定され、光出力される。また、各間の仕切りにより、光は隣の間に漏れないようになっている。
【０１６４】
以上、本実施の形態によれば、データを入力する入力手段によりデータ入力される速度を示す情報が連続的に情報処理端末から光出力装置に伝わり、ぼんやりと光出力することにより、情報処理端末を使用する人の仕事の状態が、光出力装置を持っている人にやわらかく伝えることができる。例えば、情報処理端末を使用する人が仕事をする夫であり、光出力装置を持っている人が妻である場合に、夫の仕事ぶりが何となく妻に伝わることによ
り、妻はおいしい料理を作って待っていよう、という気持ちになる。このように、仕事の様子をぼんやり伝えられることにより、特定の相手とのコミュニケーションがうまくいく。
【０１６５】
なお、本実施の形態において、入力速度の情報が連続的に伝わり、光出力したが、１つの入力速度情報の値に基づいて光出力しても良い。かかる場合、光出力装置において、外部情報記録部がない構成となる。
【０１６６】
（実施の形態５）
図３６は、本実施の形態における情報処理システムのブロック図を示す。本情報処理システムは、情報処理端末３６０１、中継装置１２、光出力装置１３を具備する。情報処理端末３６０１は、外部情報取得部３６０１１、送信元識別子格納部１１２、第一外部情報送信部１１３を有する。
【０１６７】
外部情報取得部３６０１１は、ＣＰＵ稼働率取得手段３６０１１１、および外部情報構成手段３６０１１２を有する。
【０１６８】
ＣＰＵ稼働率取得手段３６０１１１は、情報処理端末３６０１のＣＰＵの稼働率を取得する。ＣＰＵ稼働率は、通常、０（％）から１００（％）までの数字で表される。ＣＰＵ稼働率を取得する技術は、ＵＮＩＸ(登録商標）−ＯＳなどが有する既存の技術であるので、ここでの詳細な説明は省略する。ＣＰＵ稼働率取得手段３６０１１１は、通常、ソフトウェアで実現され得るがハードウェアで実現しても良い。なお、情報処理端末３６０１はＣＰＵを有する電気機器を想定している。代表的な情報処理端末３６０１は、コンピュータである。
【０１６９】
外部情報構成手段３６０１１２は、ＣＰＵ稼働率取得手段３６０１１１が取得したＣＰＵ稼働率から外部情報を構成する。外部情報構成手段３６０１１２は、通常、ソフトウェアで実現され得るがハードウェアで実現しても良い。
【０１７０】
以下、本情報処理システムを構成する情報処理端末３６０１の動作を図３７のフローチャートを用いて説明する。
【０１７１】
（ステップＳ３７０１）外部情報の構成、送信の処理を開始するための開始信号を受け付けたか否かを、外部情報取得部３６０１１が判断する。開始信号を受け付ければステップＳ３７０２に行き、開始信号を受け付けていなければステップＳ３７０１に戻る。開始信号とは、使用者が開始ボタンを押下することにより発生しても良いし、外部（例えば、光出力装置１３や中継装置１２や他の装置）から送信されてきても良い。
【０１７２】
（ステップＳ３７０２）ＣＰＵ稼働率取得手段３６０１１１は、情報処理端末３６０１のＣＰＵ稼働率を取得する。
【０１７３】
（ステップＳ３７０３）外部情報構成手段３６０１１２は、ステップＳ３７０２で取得したＣＰＵ稼働率から外部情報を構成する。
【０１７４】
（ステップＳ３７０４）第一外部情報送信部１１３は、送信元識別子格納部１１２から送信元識別子を取得する。
【０１７５】
（ステップＳ３７０５）第一外部情報送信部１１３は、中継装置を識別する情報である中継装置識別子を取得する。中継装置識別子は、図示しない手段により予め格納されている、とする。
【０１７６】
（ステップＳ３７０６）第一外部情報送信部１１３は、外部情報と送信元識別子を中継装置識別子で識別される中継装置に送信する。
【０１７７】
（ステップＳ３７０７）終了信号を受信したか否かを判断する。受信すれば終了し、受信しなければステップＳ３７０２に戻る。
【０１７８】
中継装置１２、光出力装置３の動作については、既に説明済みである。
【０１７９】
以上、本実施の形態によれば、情報処理端末のＣＰＵ稼働率が光出力装置に伝わり、ぼんやりと光出力することにより、情報処理端末を使用する人の擬似的な仕事の状態が、光出力装置を持っている人にやわらかく伝えることができる。
【０１８０】
ＣＰＵ稼働率を取得するためのインターフェイスは、通常の情報処理装置（コンピュータ、ＯＳ）で公開されている。従って、実施の形態４で述べた、キーボード等の入力手段によりデータ入力する速度を取得するよりも簡易な構成で実現可能である。つまり、ＣＰＵ稼働率は擬似的な仕事の状態を示す情報であるが、簡易な構成で、情報処理端末を使用する人の仕事の状態が、光出力装置を持っている人にやわらかく伝えることができる。
【０１８１】
なお、本実施の形態において、一つのＣＰＵ稼働率の情報が光出力装置に伝わるごとに、光出力装置における光出力が変化する構成であったが、ＣＰＵ稼働率の情報が連続的に伝わり、その複数のＣＰＵ稼働率を示す情報（履歴情報）に基づいて光出力しても良い。かかる場合の構成や処理の詳細は、実施の形態４で述べた。つまり、外部情報記録部が必要である。
【０１８２】
（実施の形態６）
図３８は、本実施の形態における情報処理システムのブロック図を示す。本情報処理システムは、情報処理端末３８０１、中継装置１２、光出力装置３８０３を具備する。
【０１８３】
情報処理端末３８０１は、外部情報取得部３８０１１、送信元識別子格納部１１２、第一外部情報送信部１１３を有する。
【０１８４】
外部情報取得部３８０１１は、場所情報取得手段３８０１１１、および外部情報構成手段３８０１１２を具備する。
【０１８５】
場所情報取得手段３８０１１１は、情報処理端末３８０１が存在する場所に関する情報である場所情報を取得する。場所情報取得手段３８０１１１は、例えば、場所情報が記憶されたＦＲＩＤタグからの無線信号を受信する手段で実現される。但し、場所情報取得手段３８０１１１は、場所情報を取得できれば、他の手段でも良い。他の手段とは、例えば、Ｂｌｕｅｔｏｏｔｈを用いた無線通信により、場所情報を取得するための無線通信手段が考えられる。
【０１８６】
外部情報構成手段３８０１１２は、場所情報取得手段３８０１１１が取得した場所情報から外部情報を構成する。外部情報構成手段３８０１１２は、通常、ソフトウェアで実現され得るがハードウェアで実現しても良い。
【０１８７】
光出力装置３８０３は、第三外部情報受信部１３１、光出力部１３２、地図情報格納部３８０３１、距離算出部３８０３２、および光出力制御部３８０３３を具備する。
【０１８８】
地図情報格納部３８０３１は、地図に関する情報である地図情報を格納している。地図情報格納部３８０３１は、通常、ハードディスクや光ディスクなどの不揮発性の記録媒体
により実現され得るが、揮発性の記録媒体を排除するものではない。
【０１８９】
距離算出部３８０３２は、第三外部情報受信部１３１が受信した外部情報（場所情報）と、地図情報格納部３８０３１に格納されている地図情報に基づいて、情報処理端末と光出力装置の距離を算出する。距離算出部３８０３２は、通常、ソフトウェアで実現され得るが、ハードウェアで実現しても良い。
【０１９０】
光出力制御部３８０３３は、距離算出部３８０３２で算出した距離に基づいて光出力部１３２の光出力を制御する。光出力制御部３８０３３は、通常、ソフトウェアで実現され得るが、ハードウェアで実現しても良い。
【０１９１】
以下、本情報処理システムの動作について説明する。まず。情報処理端末３８０１の動作について図３９のフローチャートを用いて説明する。
【０１９２】
（ステップＳ３９０１）場所情報取得手段３８０１１１が場所情報を含む信号を受け付けたか否かを判断する。信号を受け付ければステップＳ３９０２に行き、信号を受け付けなければステップＳ３９０１に戻る。
【０１９３】
（ステップＳ３９０２）場所情報取得手段３８０１１１は、ステップＳ３９０１で受け付けた信号中から場所情報を取り出す。
【０１９４】
（ステップＳ３９０３）外部情報構成手段３８０１１２は、ステップＳ３９０２で取得した場所情報から外部情報を構成する。
【０１９５】
（ステップＳ３９０４）第一外部情報送信部１１３は、送信元識別子格納部１１２から送信元識別子を取得する。
【０１９６】
（ステップＳ３９０４）第一外部情報送信部１１３は、中継装置を識別する情報である中継装置識別子を取得する。中継装置識別子は、図示しない手段により予め格納されている、とする。
【０１９７】
（ステップＳ３９０５）第一外部情報送信部１１３は、外部情報と送信元識別子を中継装置識別子で識別される中継装置に送信する。
【０１９８】
（ステップＳ３９０６）終了信号を受信したか否かを判断する。受信すれば終了し、受信しなければステップＳ３９０１に戻る。
【０１９９】
なお、図３９のフローチャートによれば、外部情報の取得は、何らのトリガーもなく行われたが、情報処理端末３８０１の使用者が開始ボタンを押下するなどのトリガーをかけてから、動作が開始されても良い。また、光出力装置３８０３や中継装置１２や他の装置からトリガーをかける信号を受信した場合に、ステップＳ２０１の外部情報の取得動作を開始しても良い。
【０２００】
次に、光出力装置３８０３の動作について、図４０のフローチャートを用いて説明する。
【０２０１】
（ステップＳ４００１）第三外部情報受信部１３１が外部情報を受信したか否かを判断する。外部情報を受信すればステップＳ４００２に行き、受信しなければステップＳ４００１に戻る。
【０２０２】
（ステップＳ４００２）距離算出部３８０３２は、地図情報格納部３８０３１に格納されている地図情報を読み出す。
【０２０３】
（ステップＳ４００３）距離算出部３８０３２は、ステップＳ４００２で読み出した地図情報とステップＳ４００１で受信した外部情報（場所情報）に基づいて、情報処理端末３８０１と光出力装置３８０３の距離を算出する。
【０２０４】
（ステップＳ４００４）光出力制御部３８０３３は、ステップＳ４００３で算出した距離に基づいて、光制御のためのパラメータである制御パラメータを決定する。
【０２０５】
（ステップＳ４００５）光出力部１３２は、ステップＳ４００２で決定された制御パラメータに従って、光を出力する。
【０２０６】
（ステップＳ４００６）光出力制御部３８０３３は、外部から終了信号を受信したか否かを判断する。終了信号を受信しなければステップＳ４００１に戻り、終了信号を受信すれば終了する。つまり、終了信号の受信により、光出力が中止され、光が消える。
【０２０７】
なお、図４０のフローチャートでは、光出力装置３８０３は、外部情報の受信を待っていたが、光出力装置３８０３から直接的または間接的に情報処理端末３８０１や中継装置１２に外部情報の送信を促しても良い。
【０２０８】
以下、本実施の形態における情報処理システムの具体的な動作等を説明する。
今、情報処理端末がＲＦＩＤタグの情報を受信できる携帯電話であるとする。そして、ＡＢＣ電鉄のＸ路線を走る電車が駅に停車すると、電車内のＩＲモジュールに停車駅を識別する情報である駅識別子がホームに設置された情報処理装置から電車に送信される。そして、電車内のＲＦＩＤタグの情報を携帯電話が読み取る（図４１参照）。図４１は、ホームに設置された情報処理装置から電車に向かって駅識別子が送信され、電車内の図示しない携帯電話から中継装置に駅識別子が送信されている。駅識別子とは、例えば「Ａ駅」という情報である。
【０２０９】
そして、図４２に示すような「ＡＢＣ電鉄のＸ路線の距離管理表」が地図情報格納部に格納されている。距離管理表は、「駅識別子」と「最初の駅識別子からの距離」を有する情報が複数格納されている。そして、地図情報格納部には、別途、光出力装置が存在する場所の最寄駅が格納されている。今、最寄駅は、「Ｄ駅」の駅識別子が格納されているとする。
【０２１０】
かかる場合、外部情報に含まれる場所情報として「Ａ駅」が情報処理端末から中継装置を経由して光出力装置に送信されてきたとする。次に、距離算出部は、外部情報に含まれる「Ａ駅」と最寄駅の「Ｄ駅」の距離を距離管理表から算出する。本例の場合は、「８．４ｋｍ−０ｋｍ＝８．４ｋｍ」を算出する。
【０２１１】
次に、光出力制御部は、上記算出した距離に基づいて光制御のパラメータを決定する。今、光出力部は、光の強さ（強度）の具合により、ぼんやりと情報処理端末の使用者の状態を表現するものとすると、光出力制御部は、光の強さをパラメータとして決定する。今、光出力制御部が決定する「光の強さ＝ｎ／算出した距離」とする。つまり、光出力部は、距離が近づくほど強い光を発生することとなる。
【０２１２】
以上より、情報処理端末を保持する人が光出力装置に近づいている、または遠ざかっていることが光出力装置の前にいる人に伝わる。
【０２１３】
以上、本実施の形態によれば、情報処理端末から光出力装置に場所情報を送ることにより、情報処理端末の使用者が光出力装置に近づく様子が視覚的に光でやわらかく出力される。
【０２１４】
なお、本実施の形態において、光出力部１３２が有する光出力出段は１つであったが、２以上でも良い。2以上の場合の制御方法については、上述した実施の形態で詳細に述べた。
【０２１５】
また、本実施の形態において、場所情報から距離の情報を算出する処理を光出力装置で行った。しかし、場所情報から距離の情報を算出する処理を情報処理装置や中継装置で行っても良い。かかる場合、地図情報格納部と距離算出部は、各々情報処理装置や中継装置に存在する。そして、中継装置等における距離算出部の算出結果（距離情報）を外部情報として光出力装置が受信し、当該外部情報に基づいて光出力装置が光を出力する。
【０２１６】
さらに、光出力装置が情報処理端末から複数の場所情報を受信することにより、情報処理端末が光出力装置に近づいているか遠ざかっているかがわかる。この「近づいているか」または「遠ざかっているか」を識別し、光出力制御に利用しても良い。つまり、近づいているときは「暖色系」で光出力し、遠ざかっているときは「寒色系」で光出力する、などが考えられる。そして、近づいて、距離が非常に近くなったときに、「真赤」の光出力をし、遠ざかって、非常に距離が遠くなったときに、「深い青」の光出力をする。
【０２１７】
（実施の形態７）
図４３は、本実施の形態における情報処理システムのブロック図を示す。本情報処理システムは、情報処理端末４３０１、中継装置１２、光出力装置１３を具備する。
【０２１８】
情報処理端末４３０１は、外部情報取得部４３０１１、送信元識別子格納部１１２、第一外部情報送信部１１３を有する。
【０２１９】
外部情報取得部４３０１１は、心拍数情報取得手段４３０１１１、体温情報取得手段４３０１１２、血糖値情報取得手段４３０１１３、血圧情報取得手段４３０１１４、健康状態情報取得手段４３０１１５、および外部情報構成手段４３０１１６を有する。
【０２２０】
心拍数情報取得手段４３０１１１は、心拍数に関する情報である心拍数情報を取得する。体温情報取得手段４３０１１２は、体温に関する情報である体温情報を取得する。血糖値情報取得手段４３０１１３は、血糖値に関する情報である血糖値情報を取得する。血圧情報取得手段４３０１１４は、血圧に関する情報である血圧情報を取得する。以上の拍数情報、体温情報、血糖値情報および血圧情報を取得する装置は、例えば、松下電器産業（株）のから発売されている電子健康チェッカーにより実現可能であり、上記情報を取得する技術は公知技術である。従って、拍数情報、体温情報、血糖値情報および血圧情報を取得する技術については、説明を省略する。
【０２２１】
健康状態情報取得手段４３０１１５は、心拍数情報取得手段４３０１１１、体温情報取得手段４３０１１２、血糖値取得手段４３０１１３、血圧情報取得手段４３０１１４等が取得した情報の全部または一部に基づいて、健康状態を総合的に表す情報である健康状態情報を生成する。健康状態情報取得手段４３０１１５は、通常、ソフトウェアで実現するが、専用回路（ハードウェア）で実現しても良い。
【０２２２】
外部情報構成手段４３０１１６は、心拍数情報取得手段４３０１１１、体温情報取得手段４３０１１２、血糖値取得手段４３０１１３、血圧情報取得手段４３０１１４、健康状態情報取得手段４３０１１５が取得した情報の全部または一部に基づいて、中継装置１２
に送信する外部情報を構成する。外部情報構成手段４３０１１６は、通常、ソフトウェアで実現するが、専用回路（ハードウェア）で実現しても良い。
【０２２３】
以下、情報処理端末４３０１の動作について図４４のフローチャートを用いて説明する。
【０２２４】
（ステップＳ４４０１）外部情報取得部４３０１１は、外部情報の取得指示の入力があったか否かを判断する。指示入力があればステップＳ４４０２に行き、指示入力がなければステップＳ４４０１に戻る。
【０２２５】
（ステップＳ４４０２）心拍数情報取得手段４３０１１１は、心拍数情報を取得する。
【０２２６】
（ステップＳ４４０３）体温情報取得手段４３０１１２は、体温情報を取得する。
【０２２７】
（ステップＳ４４０４）血糖値情報取得手段４３０１１３は、血糖値情報を取得する。
【０２２８】
（ステップＳ４４０５）血圧情報取得手段４３０１１４は、血圧情報を取得する。
【０２２９】
（ステップＳ４４０６）健康状態情報取得手段４３０１１５は、ステップＳ４４０２からステップＳ４４０５で取得した情報に基づいて健康状態情報を生成する。
【０２３０】
（ステップＳ４４０７）外部情報構成手段４３０１１６は、ステップＳ４４０２からステップＳ４４０６で取得した情報に基づいて外部情報を構成する。
【０２３１】
（ステップＳ４４０８）第一外部情報送信部１１３は、送信元識別子格納部１１２から送信元識別子を取得する。
【０２３２】
（ステップＳ４４０９）第一外部情報送信部１１３は、中継装置を識別する情報である中継装置識別子を取得する。中継装置識別子は、図示しない手段により予め格納されている、とする。
【０２３３】
（ステップＳ４４１０）第一外部情報送信部１１３は、外部情報と送信元識別子を中継装置識別子で識別される中継装置に送信する。
【０２３４】
なお、図４４のフローチャートによれば、外部情報の取得は、使用者の外部情報取得指示の入力に基づいて行われたが、何のトリガーもなく行われても良い。かかる場合、例えば、情報処理端末を病院に設置し、入院している人の状態が定期的に光出力装置に出力される、ことが考えられる。
【０２３５】
中継装置１２、光出力装置１３の動作については、既に述べたので説明を省略する。
【０２３６】
以下、本情報処理システムの具体的な動作について説明する。本情報処理システムは、図４５に示すように、情報処理端末（電子健康チェッカー）、中継装置、光出力装置を有し、それぞれ通信手段または放送手段により、情報の送受信が可能である。
【０２３７】
電子健康チェッカーは上述したように、心拍数情報、体温情報、血糖値情報、血圧情報を取得できる。そして、健康状態情報取得手段には、図４６に示すような、心拍数等の値の範囲に対する点数が入っているとする。そして、健康状態情報取得手段は、前ステップで取得した心拍数情報、体温情報、血糖値情報、血圧情報の値に対応する点数を合計した値を健康状態情報とする。今、心拍数情報が「７８」、体温情報が「３６．５」、血糖値
情報が「８０」、血圧情報が「上：１３３、下：７０」であった場合は、心拍数情報に対する点数は「１０」、体温情報に対する点数は「２５」、血糖値情報に対する点数は「２５」、血圧情報に対する点数は「２５」となり、合計「８５」となる。この合計「８５」が健康状態情報である。この数値は、１００点満点のうちのどれぐらい体全体として健康であるかを示す値である。なお、各情報（心拍数情報など）に対する点数は他の算出方法でも良いし、健康状態情報の算出方法も各種考えられ、特に限定しない。
【０２３８】
そして、外部情報構成手段は、心拍数情報、体温情報、血糖値情報、血圧情報、および健康状態情報のうちから全部、または一部に基づいて外部情報を構成する。構成した外部情報の例を図４７に示す。なお、図４７は、外部情報をタグ付きの情報で表したが、外部情報のデータ形式、データ構造は問わない。
【０２３９】
以上の外部情報が中継装置を経由して光出力装置に送信される。光出力装置は、受信した外部情報の全部または一部の情報に基づいて、光出力する。この光出力の態様は、上記の実施の形態で述べた５種類の形態が考えられる。但し、やわらかく光で状態を知らせる態様であれば、他の態様でも良いのは言うまでもない。
【０２４０】
以上、本実施の形態によれば、体の健康状態に関する情報が情報処理端末から光出力装置に伝わり、送信者の健康に関する情報がやわらかく受信者に伝わる通信システムを提供できる。
【０２４１】
本実施の形態の具体的な使用例を説明する。例えば、情報処理端末は年老いた母親が持っている。そして、光出力装置は親孝行な子供が持っている。そして、母親が1日に何度か血圧等を測定し、健康状態が子供に送信され、子供はやわらかい光出力で、それとなく母親の健康状態を知ることができる。
【０２４２】
また、情報処理端末と光出力装置は、恋人同士がそれぞれ持っている。かかる場合、恋人の一方が、情報処理装置を握り、その体温が光出力装置に伝わる。そして、恋人の体温が光として出力され、気持ちが恋人に伝わることとなる。
【０２４３】
なお、本実施の形態において、情報処理端末の形状は、図４５によれば既存の電子健康チェッカーの形状であるが、キューブ形（立方体）等、形状は問わない。キューブ形であれば、握ることが可能で、握ったことにより、「心拍数情報」「体温情報」等が伝われば、さらに利用価値が高い。つまり、キューブ形の情報処理端末をぎゅっと握ると、握った人の心の高ぶり（心拍数情報）やその人の暖かさ（体温情報）が光出力装置に伝わり、光としてやわらかく出力される。
【０２４４】
また、本実施の形態において、光出力部１３が有する光出力出段は１つであったが、２以上でも良い。２以上の光出力出段があれば、「心拍数情報」「体温情報」「健康状態情報」等の複数の情報が光として出力され得る。
【０２４５】
さらに、本実施の形態において、心拍数情報、体温情報、血糖値情報、血圧情報、健康状態情報を送受信したが、そのうち１つ以上の情報を送受信すれば良い。また、他に体脂肪率などの人体や動物等に関して測定可能な情報を送受信しても良い。
【０２４６】
（実施の形態８）
図４８は、本実施の形態における情報処理システムのブロック図を示す。本情報処理システムは、情報処理端末４８０１、中継装置１２、光出力装置１３を具備する。
【０２４７】
情報処理端末４８０１は、外部情報取得部４８０１１、送信元識別子格納部１１２、第
一外部情報送信部１１３を有する。
【０２４８】
外部情報取得部４８０１１は、ＰＨ値取得手段４８０１１１、および外部情報構成手段４８０１１２を有する。
【０２４９】
ＰＨ値取得手段４８０１１１は、情報処理端末４８０１のＰＨ値を測定する。ＰＨ値取得手段４８０１１１は、既存技術により構成され得るので、詳細は説明しない。
【０２５０】
外部情報構成手段４８０１１２は、ＰＨ値取得手段４８０１１１が計測したＰＨ値に基づいて外部情報を構成する。
【０２５１】
以下、情報処理端末４８０１の動作について図４９のフローチャートを用いて説明する。
【０２５２】
（ステップＳ４９０１）ＰＨ値取得手段４８０１１１は、情報処理端末のＰＨ値を取得する。
【０２５３】
（ステップＳ４９０２）外部情報構成手段４８０１１２に予め格納されているＰＨ値（ここでは、便宜上「通常のＰＨ値」とも言う。）を読み出す。
【０２５４】
（ステップＳ４９０３）ステップＳ４９０１で取得したＰＨ値と、ステップＳ４９０２で読み出したＰＨ値の差が一定以上であるか否かを判断する。一定以上であれば、ステップＳ４９０４に行き、一定以上であければステップＳ４９０１に戻る。
【０２５５】
（ステップＳ４９０４）外部情報構成手段４８０１１２は、ステップＳ４４０１で取得したＰＨ値に基づいて外部情報を構成する。
【０２５６】
（ステップＳ４９０５）第一外部情報送信部１１３は、送信元識別子格納部１１２から送信元識別子を取得する。
【０２５７】
（ステップＳ４９０６）第一外部情報送信部１１３は、中継装置を識別する情報である中継装置識別子を取得する。中継装置識別子は、図示しない手段により予め格納されている、とする。
【０２５８】
（ステップＳ４９０７）第一外部情報送信部１１３は、外部情報と送信元識別子を中継装置識別子で識別される中継装置に送信する。
【０２５９】
（ステップＳ４９０８）終了信号を受信したか否かを判断する。受信すれば終了し、受信しなければステップＳ４９０９に行く。
【０２６０】
（ステップＳ４９０９）一定時間待つ（ＷＡＩＴする）。
【０２６１】
なお、図４９のフローチャートによれば、ＰＨ値の取得は、何らのトリガーもなく行われたが、情報処理端末４８０１の使用者が開始ボタンを押下するなどのトリガーをかけてから、動作が開始されても良い。また、光出力装置１３や中継装置１２や他の装置からトリガーをかける信号を受信した場合に、ステップＳ４９０１のＰＨ値の取得動作を開始しても良い。
【０２６２】
また、図４９のフローチャートによれば、取得したＰＨ値が通常のＰＨ値と比較して一定以上の差がある場合に、ＰＨ値を中継装置経由で光出力装置に送信したが、取得したＰ
Ｈ値を無条件で光出力装置に送信しても良い。
【０２６３】
以下、本実施の形態における情報処理システムの具体的な動作等を説明する。本情報処理システムの情報処理端末は、上述のようにＰＨ値を測定できる構成になっている。そして、この情報処理端末を舐めた場合には、通常、ＰＨ値が大きく変化する、と考えられる。この舐めた行為が、情報処理端末から光出力装置に伝わり、光として表現される。そして、舐めた時にＰＨ値が光でやわらかく出力される。
【０２６４】
以上、本実施の形態によれば、情報処理端末から光出力装置にＰＨ値を含む外部情報を送ることにより、情報処理端末の使用者が情報処理端末を舐めたこと、およびその際のＰＨ値が光出力装置に視覚的に光でやわらかく出力される。これを特定の相手間で行えば、舐めるという愛情表現がやわらかく光により伝わる。
【０２６５】
また、情報処理端末をペットに用いれば、ペットが情報処理端末を舐めた際のＰＨ値が光出力装置に伝わり、やわらかく光で表現される。つまり、ペットの健康状態をそれとなく知ることができる。
【０２６６】
さらに、情報処理端末を赤ん坊に用いれば、赤ん坊の情報処理端末を舐めるかわいい行為が、遠隔地の祖父母や、場合によっては遠隔地にいる両親に、やわらかく光で伝わり、祖父母等に微笑ましさと安心を与えることができる。
【０２６７】
（実施の形態９）
図５０は、本実施の形態における情報処理システムのブロック図を示す。本情報処理システムは、情報処理端末５００１、中継装置１２、光出力装置１３を具備する。
【０２６８】
情報処理端末５００１は、外部情報取得部５００１１、送信元識別子格納部１１２、第一外部情報送信部１１３を有する。
【０２６９】
外部情報取得部５００１１は、角度情報取得手段５００１１１、および外部情報構成手段５００１１２を有する。
【０２７０】
角度情報取得手段５００１１１は、情報処理端末５００１の角度に関する情報である角度情報を取得する。なお、角度情報とは、例えば、角度（傾き）の変化量である。また、角度情報とは、角速度でも良い。また、角度情報とは、角度変化ではなく、角度の情報でも良い。角度情報取得手段５００１１１は、例えば、ジャイロにより実現され得る。角度情報取得手段５００１１１は、傾斜計でも良い。ジャイロと傾斜計は従来技術であるので、ここでの詳細な説明は省略する。なお、角度情報取得手段５００１１１に用いるジャイロは、機械式ジャイロでも、光ファイバ・ジャイロでも良い。
【０２７１】
外部情報構成手段５００１１２は、角度情報取得手段５００１１１が計測した角度情報に基づいて外部情報を構成する。
【０２７２】
以下、情報処理端末５００１の動作について図５１のフローチャートを用いて説明する。
【０２７３】
（ステップＳ５１０１）角度情報取得手段５００１１１は、角度変化を検出したか否かを判断する。角度変化を検出すればステップＳ５１０２に行き、検出しなければステップＳ５１０１に戻る。
【０２７４】
（ステップＳ５１０２）角度情報取得手段５００１１１は、角度情報を取得する。
【０２７５】
（ステップＳ５１０３）外部情報構成手段５００１１２は、ステップＳ５１０２で取得した角度情報に基づいて外部情報を構成する。
【０２７６】
（ステップＳ５１０４）第一外部情報送信部１１３は、送信元識別子格納部１１２から送信元識別子を取得する。
【０２７７】
（ステップＳ５１０５）第一外部情報送信部１１３は、中継装置を識別する情報である中継装置識別子を取得する。中継装置識別子は、図示しない手段により予め格納されている、とする。
【０２７８】
（ステップＳ５１０６）第一外部情報送信部１１３は、外部情報と送信元識別子を中継装置識別子で識別される中継装置に送信する。
【０２７９】
（ステップＳ５１０７）終了信号を受信したか否かを判断する。受信すれば終了し、受信しなければステップＳ５１０１に戻る。
【０２８０】
なお、図５１のフローチャートによれば、角度変化の検出をトリガーに角度情報を取得したが、何らのトリガーもなく角度情報を取得して光出力装置に送信しても良い。また、光出力装置１３や中継装置１２や他の装置からトリガーをかける信号を受信した場合に、角度情報を取得して光出力装置に送信しても良い。
【０２８１】
以下、本実施の形態における情報処理システムの具体的な動作等を説明する。本情報処理システムの情報処理端末は、キューブ形（立方体）の形状を有している。そして、情報処理端末の使用者が、キューブを持って振ったとする（図５２参照）。かかる場合、振ることによる角度情報が検出され、その角度情報が外部情報を構成して、当該外部情報は光出力装置まで伝えられる。
【０２８２】
以上、本実施の形態によれば、情報処理端末を振った場合に、その動作の度合いが光出力装置に送信され、振る動作の激しさがやわらかく光で出力される。つまり、例えば、恋人の一方が情報処理端末を保持し、他方が光出力装置を保持しているとする。かかる場合、情報処理端末を振ることで、他方の恋人に会いたい気持ちを伝える、という使い方がある。そして、光出力装置を保持している他方の恋人は、一方の恋人が自分に会いたがっていることをやわらかく知ることができる。
【０２８３】
なお、本実施の形態において、角度情報取得手段は、主として角度変化に関する情報を取得したが、角度の情報を取得して、中継装置等で角度変化を算出しても良い。つまり、情報処理装置は、簡易な構成で角度を取得し、その角度情報を中継装置に送信する。中継装置は複数の角度情報（時系列の情報）に基づいて角度変化量等を算出して、情報処理装置が振られていることを示す情報を算出し、光出力装置に送信する。そして、光出力装置は当該情報に基づいて光出力しても良い。かかる構成によると、情報処理端末が簡易な構成になる。
【０２８４】
（実施の形態１０）
図５３は、本実施の形態における情報処理システムのブロック図を示す。本情報処理システムは、情報処理端末５３０１、中継装置１２、光出力装置１３を具備する。
【０２８５】
情報処理端末５３０１は、外部情報取得部５３０１１、送信元識別子格納部１１２、第一外部情報送信部１１３を有する。
【０２８６】
外部情報取得部５３０１１は、回転情報取得手段５３０１１１、および外部情報構成手段５３０１１２を有する。
【０２８７】
回転情報取得手段５３０１１１は、例えば、情報処理端末５３０１に設置された風車等の回転に関する情報である回転情報を取得する。回転情報とは、回転速度や回転数などが含まれる。なお、回転速度や回転数を検知する技術は公知技術であるので、ここでの詳細な説明は省略する。
【０２８８】
外部情報構成手段５３０１１２は、回転情報取得手段５３０１１１が検出した回転情報に基づいて外部情報を構成する。外部情報構成手段５３０１１２は、通常、ソフトウェアで実現され得るが、専用回路（ハードウェア）で実現しても良い。
【０２８９】
以下、情報処理端末５３０１の動作について図５４のフローチャートを用いて説明する。
【０２９０】
（ステップＳ５４０１）回転情報取得手段５３０１１１は、回転を検出したか否かを判断する。回転を検出すればステップＳ５４０２に行き、検出しなければステップＳ５４０１に戻る。
【０２９１】
（ステップＳ５４０２）回転情報取得手段５３０１１１は、回転情報を取得する。
【０２９２】
（ステップＳ５４０３）外部情報構成手段５３０１１２は、ステップＳ５４０２で取得した回転情報に基づいて外部情報を構成する。
【０２９３】
（ステップＳ５４０４）第一外部情報送信部１１３は、送信元識別子格納部１１２から送信元識別子を取得する。
【０２９４】
（ステップＳ５４０５）第一外部情報送信部１１３は、中継装置を識別する情報である中継装置識別子を取得する。中継装置識別子は、図示しない手段により予め格納されている、とする。
【０２９５】
（ステップＳ５４０６）第一外部情報送信部１１３は、外部情報と送信元識別子を中継装置識別子で識別される中継装置に送信する。
【０２９６】
（ステップＳ５４０７）終了信号を受信したか否かを判断する。受信すれば終了し、受信しなければステップＳ５４０１に戻る。
【０２９７】
なお、図５４のフローチャートによれば、回転の検出をトリガーに回転情報を取得したが、何らのトリガーもなく回転情報（０の値である場合も含めて）を取得して光出力装置に送信しても良い。また、光出力装置１３や中継装置１２や他の装置からトリガーをかける信号を受信した場合に、回転情報を取得して光出力装置に送信しても良い。
【０２９８】
以下、本実施の形態における情報処理システムの具体的な動作等を説明する。本情報処理システムの情報処理端末は、例えば図５５に示すように、キューブ形（立方体）の形状であり、風車が電気的に接続されている。そして、風車が風を受けて回転する時に回転速度を検出する仕組みが、情報処理端末に設置されている、とする。そして、回転速度に関する情報である回転情報が情報処理端末から光出力装置に送信される。次に、光出力装置は、回転速度をやわらかく光で出力する。
【０２９９】
以上、本実施の形態によれば、情報処理端末が風を受けた場合に、風車が回転し、その
回転速度がやわらかく光出力装置に伝わる。例えば、特定の人が情報処理端末を持っており、外でかつ高度の高いところで作業する人の場合、それを心配する人が光出力装置を持っており、回転情報が光の強さや点滅度合い等の変化で伝わる。そのことにより、光出力装置を持っている人は、風の強いところで作業をしている相手の様子を何となく想像することができる。
【０３００】
また、例えば、お付き合いをしている彼女が情報処理端末を持っており、彼が光出力装置を持っている、とする。彼女は、彼に会いたい気持ちを情報処理端末の風車に息を吹きかけて伝える。そして、彼女が風車に息を吹きかけた場合、光出力装置は、上述した光出力制御により光り、彼に彼女の会いたがっている気持ちがそれとなく、やわらかく伝わる。
【０３０１】
（実施の形態１１）
図５６は、本実施の形態における情報処理システムのブロック図を示す。本情報処理システムは、情報処理端末５６０１、中継装置１２、光出力装置１３を具備する。
【０３０２】
情報処理端末５６０１は、外部情報取得部５６０１１、送信元識別子格納部１１２、第一外部情報送信部１１３を有する。
【０３０３】
外部情報取得部５６０１１は、脳波情報取得手段５６０１１１、および外部情報構成手段５３０１１２を有する。
【０３０４】
脳波情報取得手段５６０１１１は、脳波を測定し、脳波情報を得る。脳波を測定する技術は公知技術であるので、ここでの詳細な説明は省略する。
【０３０５】
外部情報構成手段５６０１１２は、脳波情報取得手段５６０１１１が取得した脳波情報に基づいて外部情報を構成する。外部情報構成手段５６０１１２は、通常、ソフトウェアで実現され得るが、専用回路（ハードウェア）で実現しても良い。
【０３０６】
以下、情報処理端末５６０１の動作について図５７のフローチャートを用いて説明する。
【０３０７】
（ステップＳ５７０１）脳波情報取得手段５６０１１１は、脳波測定開始の指示があったか否かを判断する。指示があればステップＳ５６０２に行き、指示がなければステップＳ５６０１に戻る。
【０３０８】
（ステップＳ５７０２）脳波情報取得手段５６０１１１は、脳波情報を取得する。
【０３０９】
（ステップＳ５７０３）外部情報構成手段５３０１１２は、ステップＳ５７０２で取得した脳波情報に基づいて外部情報を構成する。
【０３１０】
（ステップＳ５７０４）第一外部情報送信部１１３は、送信元識別子格納部１１２から送信元識別子を取得する。
【０３１１】
（ステップＳ５７０５）第一外部情報送信部１１３は、中継装置を識別する情報である中継装置識別子を取得する。中継装置識別子は、図示しない手段により予め格納されている、とする。
【０３１２】
（ステップＳ５７０６）第一外部情報送信部１１３は、外部情報と送信元識別子を中継装置識別子で識別される中継装置に送信する。
【０３１３】
（ステップＳ５７０７）終了信号を受信したか否かを判断する。受信すれば終了し、受信しなければステップＳ５７０１に戻る。
【０３１４】
なお、図５７のフローチャートによれば、脳波の測定を測定開始指示により開始したが、何らのトリガーもなく脳波情報を取得して光出力装置に送信しても良い。また、光出力装置１３や中継装置１２や他の装置からトリガーをかける信号を受信した場合に、脳波情報を取得して光出力装置に送信しても良い。
【０３１５】
以上、本実施の形態によれば、ある人の脳波の測定値が他の人に伝わり、光でやわらかく知らせることにより、ある人の脳の状態が他の人にそれとなく分かる。例えば、ある人からα波が多く出ているのか、β波が多くでているのかが光出力により分かり、ある人の緊張度、ストレスの度合いなどがやさしく、他の人に伝わる。例えば、本情報処理装置を夫に持たせておき、光出力装置を妻が持っている、とする。すると、夫の仕事中のストレス度合いを妻にそれとなく伝えることができ、妻のその日の夫のストレス度合いに応じた食事を考えることができる、または帰宅後の各種サービスを考えることができる、などの効果がある。
【産業上の利用可能性】
【０３１６】
本発明によれば、情報処理端末の使用者の状態に関する情報が送信され、やわらかく光出力により表現されることにより、やわらかいコミュニケーションが可能になる。
【図面の簡単な説明】
【０３１７】
【図１】実施の形態１における情報処理システムのブロック図
【図２】実施の形態１における情報処理端末の動作を説明するフローチャート
【図３】実施の形態１における中継装置の動作を説明するフローチャート
【図４】実施の形態１における光出力装置の動作を説明するフローチャート
【図５】実施の形態１における情報処理端末と光出力装置の外形を示す図
【図６】実施の形態１における情報処理システムの動作の概念を示す図
【図７】実施の形態１における外部情報の例を示す図
【図８】実施の形態１における光出力制御するための情報の例を示す図
【図９】実施の形態１における光出力の例を示す図
【図１０】実施の形態１における光出力制御の情報の例を示す図
【図１１】実施の形態１における光出力の例を示す図
【図１２】実施の形態１における光出力の例を示す図
【図１３】実施の形態２における情報処理システムのブロック図
【図１４】実施の形態２における情報処理端末の動作を説明するフローチャート
【図１５】実施の形態２における光出力装置の動作を説明するフローチャート
【図１６】実施の形態２における情報処理システムの概念を示す図
【図１７】実施の形態２における圧力情報の構造の例を示す図
【図１８】実施の形態２における圧力情報の例を示す図
【図１９】実施の形態２における位置情報の例を示す図
【図２０】実施の形態２における外部情報の例を示す図
【図２１】実施の形態２における光出力装置の外観の例を示す図
【図２２】実施の形態２における光出力装置が光る様子を示す図
【図２３】実施の形態３における情報処理システムのブロック図
【図２４】実施の形態３における光出力装置の動作を説明するフローチャート
【図２５】実施の形態３における光出力制御表を示す図
【図２６】実施の形態３における光出力制御方法識別子を選択するメニューを構成するデータを示す図
【図２７】実施の形態３における種類情報・光出力方法識別子の設定パネルを示す図
【図２８】実施の形態３における情報処理システムの概念を示す図
【図２９】実施の形態４における情報処理システムのブロック図
【図３０】実施の形態４における情報処理端末の動作を説明するフローチャート
【図３１】実施の形態４における光出力装置の動作を説明するフローチャート
【図３２】実施の形態４における履歴情報の例を示す図
【図３３】実施の形態４における光出力装置が光出力する様子を示す図
【図３４】実施の形態４における光出力装置の構造の例を示す図
【図３５】実施の形態４における光出力装置の構造の例を示す図
【図３６】実施の形態５における情報処理システムのブロック図
【図３７】実施の形態５における情報処理端末の動作を示すフローチャート
【図３８】実施の形態６における情報処理システムのブロック図
【図３９】実施の形態６における情報処理端末の動作を示すフローチャート
【図４０】実施の形態６における光出力装置の動作を示すフローチャート
【図４１】実施の形態６における場所情報の送受信の例を示す図
【図４２】実施の形態６における距離管理表を示す図
【図４３】実施の形態７における情報処理システムのブロック図
【図４４】実施の形態７における情報処理端末の動作を説明するフローチャート
【図４５】実施の形態７における情報処理システムの構成例を示す図
【図４６】実施の形態７における健康状態情報取得手段が保持している情報の例を示す図
【図４７】実施の形態７における外部情報の例を示す図
【図４８】実施の形態８における情報処理システムのブロック図
【図４９】実施の形態８における情報処理端末の動作を説明するフローチャート
【図５０】実施の形態９における情報処理システムのブロック図
【図５１】実施の形態９における情報処理端末の動作を説明するフローチャート
【図５２】実施の形態９における情報処理システムの概念を説明する図
【図５３】実施の形態１０における情報処理システムのブロック図
【図５４】実施の形態１０における情報処理端末の動作を説明するフローチャート
【図５５】実施の形態１０における情報処理システムの概念を説明する図
【図５６】実施の形態１１における情報処理システムのブロック図
【図５７】実施の形態１１における情報処理端末の動作を説明するフローチャート
【符号の説明】
【０３１８】
１１、１３０１、２８０１、３６０１、３８０１、４３０１、４８０１、５００１、５３０１、５６０１  情報処理端末
１２  中継装置
１３、１３０３，２３０３、２８０３、３８０３、  光出力装置
１１１、１３０１１、２８０１１、３６０１１、３８０１１、４３０１１、４８０１１、５００１１、５３０１１、５６０１１  外部情報取得部
１１２  送信元識別子格納部
１１３  第一外部情報送信部
１２１  第二外部情報受信部
１２２  送信管理情報格納部
１２３  送信先識別子取得部
１２４  第二外部情報送信部
１３１  第三外部情報受信部
１３２、１３０３１、２８０３２  光出力部
２８０４  入力手段
１３０３２、２３０３２  種類情報格納部
１３３、１３０３３、２３０３３、２８０３２、２８０３３、３８０３３  光出力制御部
２８０３１  外部情報記録部
３８０３１  地図情報格納部
３８０３２  距離算出部
１３０１１１  圧力取得手段
１３０１１２  位置情報取得手段
１３０１１３、２８０１１３、３６０１１２、３８０１１２、４３０１１６、４８０１１２、５００１１２、５３０１１２、５６０１１２  外部情報構成手段
１３０３１１  第一光出力手段
１３０３１２  第二光出力手段
２８０１１１  入力信号受付手段
２８０１１２  入力速度情報生成手段
３６０１１１  ＣＰＵ稼働率取得手段
３８０１１１  場所情報取得手段
４３０１１１  心拍数情報取得手段
４３０１１２  体温情報取得手段
４３０１１３  血糖値取得手段
４３０１１３  血糖値情報取得手段
４３０１１４  血圧情報取得手段
４３０１１５  健康状態情報取得手段
４８０１１１  ＰＨ値取得手段
５００１１１  角度情報取得手段
５３０１１１  回転情報取得手段
５６０１１１  脳波情報取得手段
【図１】
2007004792.tif 000003
【図２】
2007004792.tif 000004
【図３】
2007004792.tif 000005
【図４】
2007004792.tif 000006
【図５】
2007004792.tif 000007
【図６】
2007004792.tif 000008
【図７】
2007004792.tif 000009
【図８】
2007004792.tif 000010
【図９】
2007004792.tif 000011
【図１０】
2007004792.tif 000012
【図１１】
2007004792.tif 000013
【図１２】
2007004792.tif 000014
【図１３】
2007004792.tif 000015
【図１４】
2007004792.tif 000016
【図１５】
2007004792.tif 000017
【図１６】
2007004792.tif 000018
【図１７】
2007004792.tif 000019
【図１８】
2007004792.tif 000020
【図１９】
2007004792.tif 000021
【図２０】
2007004792.tif 000022
【図２１】
2007004792.tif 000023
【図２２】
2007004792.tif 000024
【図２３】
2007004792.tif 000025
【図２４】
2007004792.tif 000026
【図２５】
2007004792.tif 000027
【図２６】
2007004792.tif 000028
【図２７】
2007004792.tif 000029
【図２８】
2007004792.tif 000030
【図２９】
2007004792.tif 000031
【図３０】
2007004792.tif 000032
【図３１】
2007004792.tif 000033
【図３２】
2007004792.tif 000034
【図３３】
2007004792.tif 000035
【図３４】
2007004792.tif 000036
【図３５】
2007004792.tif 000037
【図３６】
2007004792.tif 000038
【図３７】
2007004792.tif 000039
【図３８】
2007004792.tif 000040
【図３９】
2007004792.tif 000041
【図４０】
2007004792.tif 000042
【図４１】
2007004792.tif 000043
【図４２】
2007004792.tif 000044
【図４３】
2007004792.tif 000045
【図４４】
2007004792.tif 000046
【図４５】
2007004792.tif 000047
【図４６】
2007004792.tif 000048
【図４７】
2007004792.tif 000049
【図４８】
2007004792.tif 000050
【図４９】
2007004792.tif 000051
【図５０】
2007004792.tif 000052
【図５１】
2007004792.tif 000053
【図５２】
2007004792.tif 000054
【図５３】
2007004792.tif 000055
【図５４】
2007004792.tif 000056
【図５５】
2007004792.tif 000057
【図５６】
2007004792.tif 000058
【図５７】
2007004792.tif 000059